(57)【要約】【課題】  従来の無線システムでは、ＳＩＭは典型的にはローカル領域に拘束される。【解決手段】  開示した方法は、複数のモバイルデバイスのうち少なくとも１つのデバイスの加入レコードをＨＬＲに記憶するステップを備え、モバイルデバイスは現在活性化された第１ＩＭＳＩによって識別されたＳＩＭを有し、現在活性化された第１ＩＭＳＩはシステムに割り当てられたＩＭＳＩセットに属し、プロビジョニングサーバは、モバイルデバイスが無線ネットワークの１つである第１無線ネットワークに移動したという通知を受信し、割当規則を満足することを確認し、ＩＭＳＩセットにおけるＩＭＳＩの１つである第２ＩＭＳＩを、ＨＬＲに追加及び活性化し、ＨＬＲから第１ＩＭＳＩを削除し、モバイルデバイスがローカルデバイスとして第１無線ネットワークにおいて無線通信できるようにするため、第２ＩＭＳＩをモバイルデバイスへ送信する、通信方法である。【選択図】          図１６
2015505190.tif 000002
【特許請求の範囲】
【請求項１】
複数の無線ネットワーク及び複数のモバイルデバイスと通信する働きをするシステムであって、
前記システムは、
プロビジョニングサーバと、
前記複数のモバイルデバイスのうち少なくとも１つのモバイルデバイスの加入レコードを記憶するホームロケーションレジスタ（ＨＬＲ）と、を備え、
前記無線ネットワークは、それぞれ異なるキャリアによって運営され、
前記モバイルデバイスは、現在活性化された第１ＩＭＳＩによって識別されたＳＩＭを有し、
前記現在活性化された第１ＩＭＳＩは、前記システムに割り当てられたＩＭＳＩセットに属し、
前記プロビジョニングサーバは、
前記モバイルデバイスが前記無線ネットワークの１つである第１無線ネットワークに移動したという通知を受信し、
割当規則が満足することを確認し、
前記ＩＭＳＩセットにおける前記ＩＭＳＩの１つである第２ＩＭＳＩを前記ＨＬＲに追加及び活性化し、前記ＨＬＲから前記現在活性化された第１ＩＭＳＩを削除し、及び、
前記モバイルデバイスが、新しいＩＭＳＩでローカルデバイス又はローミング加入者として、前記第１無線ネットワークにおいて無線で通信できるようにするため、前記第２ＩＭＳＩを前記モバイルデバイスへ送信する働きをする、システム。
【請求項２】
前記ＨＬＲは前記ＩＭＳＩセットを管理し、
前記ＩＭＳＩセットは複数の部分集合を含み、それぞれの前記部分集合は異なるモバイル国コード（ＭＣＣ）及び異なるモバイルネットワークコード（ＭＮＣ）を有するＩＭＳＩを含む、請求項１に記載のシステム。
【請求項３】
前記ＩＭＳＩセットにおける各ＩＭＳＩは、前記無線ネットワークの１つを識別するモバイル国コード（ＭＣＣ）及びモバイルネットワークコード（ＭＮＣ）、並びに、前記システムに割り当てられるようにＩＭＳＩを識別する１つ以上の予め指定した値を有する１つ以上の桁を含む加入者識別情報番号（ＭＳＩＮ）を含む、請求項１に記載のシステム。
【請求項４】
前記ＨＬＲは、複数のＨＬＲセグメントとして前記複数の無線ネットワークの間に配置される、請求項１に記載のシステム。
【請求項５】
前記ＨＬＲセグメントの少なくとも１つは、前記無線ネットワークのうちの１つのキャリアによって運営されるキャリア運営ＨＬＲに属し、前記キャリア運営ＨＬＲは、前記キャリアと前記システムのプロバイダーの間での合意の下で前記プロビジョニングサーバによって読み取り可能及び書き込み可能である、請求項４に記載のシステム。
【請求項６】
前記無線ネットワークは複数の国に位置する、請求項１に記載のシステム。
【請求項７】
前記割当規則は、前記システムのプロバイダーと前記第１無線ネットワークのキャリア間での合意に基づいている、請求項１に記載のシステム。
【請求項８】
前記割当規則は、前記ＩＭＳＩの１つである前記第２ＩＭＳＩが、テストレディ状態、在庫管理状態、活性化レディ状態又は活性化状態において、前記第１ＩＭＳＩの最初のネットワーク登録に基づいて選択される、という条件をつける、請求項１に記載のシステム。
【請求項９】
前記割当規則は、前記ＩＭＳＩの１つである前記第２ＩＭＳＩが、テストレディ状態、在庫管理状態、活性化レディ状態又は活性化状態において、最初のネットワーク登録の国に基づいて選択される、という条件をつける、請求項１に記載のシステム。
【請求項１０】
前記割当規則は、前記ＩＭＳＩの１つである前記第２ＩＭＳＩが、前記第１ＩＭＳＩ及びＣＤＲ、の最初のネットワーク登録に基づいて選択される、という条件をつける、請求項１に記載のシステム。
【請求項１１】
前記割当規則は、前記ＩＭＳＩの１つである前記第２ＩＭＳＩが、テストレディ状態、在庫管理状態、活性化レディ状態、又は活性化状態において、前記第１ＩＭＳＩ及びＣＤＲ、の最初のネットワーク登録に基づいて選択される、という条件をつける、請求項１に記載のシステム。
【請求項１２】
前記割当規則は、前記ＩＭＳＩの１つである前記第２ＩＭＳＩが、前記第１ＩＭＳＩ及び最初の支払請求周期における最初の支払請求可能のＣＤＲ、の最初のネットワーク登録に基づいて選択される、という条件をつける、請求項１に記載のシステム。
【請求項１３】
前記割当規則は、前記ＩＭＳＩの１つである前記第２ＩＭＳＩが、前記第１ＩＭＳＩ及び最初の支払請求周期における最後の支払請求可能のＣＤＲ、の最初のネットワーク登録に基づいて選択される、という条件をつける、請求項１に記載のシステム。
【請求項１４】
前記割当規則は、前記ＩＭＳＩの１つである前記第２ＩＭＳＩが、前記第１ＩＭＳＩ及び最初の支払請求周期における支払請求可能なデータボリュームの規定のパーセンテージ、の最初のネットワーク登録に基づいて選択される、という条件をつける、請求項１に記載のシステム。
【請求項１５】
前記割当規則は、前記ＩＭＳＩの１つである前記第２ＩＭＳＩが、前記第１ＩＭＳＩの最初のネットワーク登録に基づいて、及び連続した支払請求可能な使用月の規定の月数後に、選択される、という条件をつける、請求項１に記載のシステム。
【請求項１６】
前記割当規則は、モバイル使用量、前記モバイルデバイスがローミングしている時間長、加入ステータス、利用可能なＩＭＳＩの数、展開されたロケーションに対しての前記ネットワークキャリアとの契約、のうちの少なくとも１つを条件とする、請求項１に記載のシステム。
【請求項１７】
複数の無線ネットワーク及び複数のモバイルデバイスを含むシステム内の通信方法であって、
前記方法は、前記複数のモバイルデバイスのうち少なくとも１つのモバイルデバイスの加入レコードをホームロケーションレジスタ（ＨＬＲ）に記憶するステップを備え、
前記無線ネットワークは、それぞれ異なるキャリアによって運営され、
前記モバイルデバイスは、現在活性化された第１ＩＭＳＩによって識別されたＳＩＭを有し、
前記現在活性化された第１ＩＭＳＩは、前記システムに割り当てられたＩＭＳＩセットに属し、
プロビジョニングサーバは、
前記モバイルデバイスが前記無線ネットワークの１つである第１無線ネットワークに移動したという通知を受信し、
割当規則が満足することを確認し、
前記ＩＭＳＩセットにおける前記ＩＭＳＩの１つである第２ＩＭＳＩを前記ＨＬＲに追加及び活性化し、前記ＨＬＲから前記現在活性化された第１ＩＭＳＩを削除し、及び、
前記モバイルデバイスが、ローカルデバイスとして、前記第１無線ネットワークにおいて無線で通信できるようにするため、前記第２ＩＭＳＩを前記モバイルデバイスへ送信する働きをする、通信方法。
【発明の詳細な説明】
【技術分野】
【０００１】
本発明は、ＳＩＭを管理するグローバルプラットフォームに関する。
【背景技術】
【０００２】
本出願は、２００５年４月２９日に出願された「携帯電話ネットワークにおける無線端末のセルフプロビジョニング」という題の同時係属の米国特許出願番号11/119,401の一部継続であり、２００６年４月４日に出願された「携帯電話ネットワークにおける無線端末のセルフプロビジョニング」という題の同時係属の米国特許出願番号11/398,493の一部継続であり、及び２００７年５月１８日に出願された「状態遷移規則を用いた無線通信プロビジョニング」という題の同時係属の米国特許出願番号11/804,582の一部継続である。本出願はまた、２０１１年１２月５日に出願された先の米国仮特許出願番号61/567,017に基づいて、優先権を主張し、そのすべての内容はここで参照することにより含まれる。
【０００３】
無線システムにおいて、無線端末は、加入者の識別を含む加入者識別モジュール（ＳＩＭ）を有する。無線ネットワークシステムと関係したＳＩＭを有する無線端末の主な機能の１つは、無線端末（例えば携帯電話）の正当性及びネットワークへの無線端末の加入を認証することである。ＳＩＭは、典型的には、プラスチックカード上に置かれたマイクロチップ、つまりおよそ一辺が１ｃｍの正方形のＳＩＭカードである。ＳＩＭカードはしたがって、ネットワークへの加入者の独自の識別を確立するため、無線端末のスロット内に置かれる。ある場合には、独立したＳＩＭ及び／又はＳＩＭカードが利用されないように、無線端末自身が加入者識別子(subscriber identification)及び認証機能を含む。
【０００４】
ＳＩＭ（又は無線端末内）においては、認証キー及び加入者識別子対が記憶される。このような対の例としては、ＧＳＭ（登録商標）ネットワークにおいて使用されるような認証キーＫｉ及び関連した加入者識別子ＩＭＳＩ（International Mobile Subscriber Identity）であろう。他の例としては、認証キーＡ‐Ｋｅｙ及びＣＤＭＡとＴＤＭＡネットワークにおいて使用される加入者識別子ＭＩＮ（Mobile Identification Number）であろう。どちらの場合においても、対応する同一の認証キー及び加入者識別子セットがネットワークに記憶される。ＳＩＭ（又は無線端末内）において、及びネットワーク内では、認証機能は、ローカル認証キー及びＳＩＭとネットワークの間で交換されるいくらかの認証データを用いて、実行される。もしＳＩＭにおいて、及びネットワーク内で、実行する認証機能の結果が同じ結果になるならば、ＳＩＭ／無線端末は無線ネットワークに対して認証されると考えられる。
【０００５】
現在の無線システムにおいては、ＳＩＭ（又は無線端末）は唯一の加入者識別子に関連した認証キーを有し、この加入者識別は典型的にはローカル領域又はネットワークに拘束される。ＳＩＭ（又は無線端末）が、ローカルでない領域内で認証するとき、又はローカルでないネットワークで認証するとき、通常ＳＩＭ（又は無線端末）は無線ネットワークに接続するために追加のローミングサービス料金を払う必要がある。もしＳＩＭ（又は無線端末）がローカル領域又はネットワークに恒久的に拘束されないならば、有益であろう。例えば機器販売業者は、物理的に１つのＳＩＭカードで、複数の領域で複数のネットワークに同じ機器を売ることができるであろう。さらには、エンドユーザーはローミングサービス料金を回避することができ、又は少なくともより良好な加入条件が利用可能となりうる。
【発明の概要】
【課題を解決するための手段】
【０００６】
本発明の様々な実施形態は、次の詳細な説明及び添付図面において開示される。
【０００７】
本発明は、プロセスとして、装置、システム、要素の構成、コンピュータ読み取り記憶媒体のようなコンピュータ読み取り媒体、又はプログラム命令が光、電気、又は無線通信回線で送られるコンピュータネットワークを含む、非常に多くの方法で実施されうる。本明細書においては、これらの実施、又は本発明が取りうるその他のあらゆる形式は、技術として言及されうる。タスクを実行するように構成されるように記載されたプロセッサやメモリのような構成要素は、一定期間にタスクを実行するように一時的に構成される一般的な構成要素、又はタスクを実行するように製造された特定の構成要素、を両方含む。一般的に、開示されたプロセスのステップの順番は、本発明の範囲内で変えられうる。
【０００８】
本発明の１つ以上の実施形態の詳細な説明は、本発明の基本的な思想を説明する添付図面と共に以下に与えられる。本発明は、ある実施形態に関連して記載されるが、本発明はいかなる実施形態にも限定されない。本発明の範囲は請求項によってのみ限定され、本発明は非常に多くの代替形態、修正形態、及び均等物を包括的に含む。本発明を完全に理解するために、以下の明細書には非常に多くの具体的詳細が記載される。これらの詳細は例示の目的で与えられ、本発明は、いくつかのこれらの具体的詳細又はすべての具体的詳細無しで請求項に従って実施されうる。明確にするために、本発明に関連する技術分野において知られている技術的要素は、本発明が不必要に不明瞭でないように、詳細に記載されていない。
【図面の簡単な説明】
【０００９】
【図１】図１は、セルフプロビジョニング無線システムの実施形態を説明する。
【図２Ａ】図２Ａは、一方の実施形態における認証データ構造例を説明する。
【図２Ｂ】図２Ｂは、他方の実施形態における認証データ構造例を説明する。
【図３】図３は、無線ネットワークから無線サービスを取得するプロセスの実施形態を説明する系統線図である。
【図４Ａ】図４Ａは、ネットワークシステムにおける無線端末のプロビジョニング又は認証のプロセスの実施形態を説明する。
【図４Ｂ】図４Ｂは、ネットワークシステムにおける無線端末のプロビジョニング又は認証のプロセスの異なった実施形態を説明する。
【図５】図５は、ネットワークシステムにおける無線端末のセルフプロビジョニング又は認証のプロセスの実施形態を説明する。
【図６】図６は、無線ネットワークから無線サービスを取得するプロセスの実施形態を説明する系統線図である。
【図７】図７は、モバイルデータ通信プロビジョニングのシステムの実施形態のブロック図を説明する。
【図８】図８は、モバイルデータ通信プロビジョニングのプロセスの実施形態を説明する系統線図である。
【図９】図９は、状態定義の実施形態を説明するブロック図である。
【図１０】図１０は、状態遷移規則定義の実施形態を説明する。
【図１１】図１１は、プロビジョニング及び状態間遷移のチャネル販売モデルの状態の実施形態を説明する系統線図である。
【図１２】図１２は、プロビジョニング及び状態間遷移の小売モデルの状態の実施形態を説明する系統線図である。
【図１３】図１３は、プロビジョニング無線通信のプロセスの実施形態を説明する系統線図である。
【図１４Ａ】図１４Ａは、グローバルプラットフォームプロバイダーが運営する無線ネットワークアーキテクチャの実施形態である。
【図１４Ｂ】図１４Ｂは、ホームネットワークから訪問先のネットワークにモバイルデバイスがローミングするときのＩＭＳＩスイッチングの例である。
【図１４Ｃ】図１４Ｃは、ホームネットワークから訪問先のネットワークにモバイルデバイスがローミングするときのＩＭＳＩスイッチングの例である。
【図１５】図１５は、ＩＭＳＩプロビジョニング及び管理の概観を説明する。
【図１６】図１６は、ブートストラップＩＭＳＩを有するモバイルデバイスを活性化するプロセスの実施形態を説明する。
【図１７】図１７は、ＩＭＳＩスイッチングを実行するプロセスを説明する。
【図１８】図１８は、ＩＭＳＩスイッチング後にモバイルデバイスを運営するプロセスの実施形態を説明する。
【図１９】図１９は、ＩＭＳＩスイッチング後にローミングデバイスとしてのモバイルデバイスを運営する実施形態を説明する。
【図２０】図２０は、他のＩＭＳＩスイッチングを実行するプロセスの実施形態を説明する。
【発明を実施するための形態】
【００１０】
無線ネットワークにおける無線端末に対する加入者識別子のプロビジョニング
無線ネットワークにおける無線端末に対する加入者識別子のプロビジョニングのシステム及び方法が開示される。（１つ以上の制御サーバが設置される）制御センターは、無線ネットワークからの伝送を受信する。この伝送は、無線端末がこの無線端末のホームネットワーク外でローミングしていることを知らせる。制御センターは、無線端末に対する新しい加入者識別子をプロビジョニングする。そこで加入者識別子は、少なくとも一部分において、無線端末がローミングされている訪問先の無線ネットワークの識別子、及び一定の訪問先のネットワークのために所定の加入者識別子を与えるサーバデータベース、に基づいて選択される。新しくプロビジョニングされた加入者識別子を使用して、無線端末は、特定の訪問先のネットワークのための加入者識別のサーバの指示に基づいた、ローカル無線端末として、又は異なる訪問する無線端末として、提供している無線ネットワークから、無線サービスを取得する。無線端末は、そのようなネットワーク用の、又は新しい加入者識別のホームネットワークが好ましい関係を有するネットワーク用の、ローカル無線端末として動作することができる。無線端末は、記憶された認証キー‐加入者識別子セットを使用して、ローカル端末又は訪問する端末として、通信サービスを取得することができる。ここで認証キー‐加入者識別子セットは、それが動作するネットワークに固有の、又は新しい加入者識別のホームネットワークに固有のものである。様々な実施形態においては、固有の認証キー‐加入者識別子セットを受信又はダウンロードすることによって、又は現存する認証キーとペアを組む加入者識別子を受信又はダウンロードすることによって、無線端末はローカル又は訪問する端末として動作することができる。
【００１１】
図１は、無線システムの実施形態を説明する。示された例示においては、無線システムは、無線端末１００によって図１に表された複数の無線端末、無線ネットワーク基地局１０４によって図１に表された複数の無線ネットワーク基地局、無線ネットワークセンター１０６、ホームロケーションレジスタ／認証センター（ＨＬＲ／ＡｕＣ）１０８、及び無線端末をプロビジョニングすることができるプロビジョニングサーバ１１０を含む。唯一の無線ネットワークセンター１０６が示されているが、当然のことながら、無線システムは複数の無線ネットワークセンター１０６を含むことができる。各無線ネットワークセンター１０６は、ＨＬＲ、モバイルスイッチングセンター／ビジターロケーションレジスタ（ＭＳＣ／ＶＳＲ）、ショートメッセージサービスセンター（ＳＭＳＣ）、サービングＧＰＲＳサービスノード（ＳＧＳＮ）、パケットデータサービングノード（ＰＤＳＮ）、を含む、又は、と関連している。ある実施形態においては、ＨＬＲ／ＡｕＣ１０８及びプロビジョニングサーバ１１０は、例えば制御センターであるグローバルプラットフォームプロバイダーによって運営されるが、複数の無線センター１０６は異なるネットワークキャリアによって運営されうる。無線端末１００は、メモリ及びプロセッサのある取り付け可能なハードウェアカードである、又は無線端末内に埋め込まれたソフトウェアオブジェクトである、ＳＩＭを含む。無線端末１００は、無線信号１０２を使用して無線ネットワーク基地局１０４と通信する。無線端末はあちこち移動すると、異なる無線基地局と通信する。無線ネットワーク基地局１０４は無線ネットワークセンター１０６と通信する。
【００１２】
無線端末からの通信は、他の無線端末に対してローカル無線ネットワーク基地局を使用して、同じ無線ネットワークを通って当該他の無線端末へ伝達されるか、又は通信は、受信端末に対して有線又は他の無線ネットワークによって伝達される。無線ネットワークセンター１０６は、無線ネットワークサービスを獲得する無線端末を認証するのに役立つように、認証キー‐加入者識別子セットが格納される関連したＨＬＲと通信する。加入者識別子の一例は、国際移動体加入者識別子（ＩＭＳＩ）である。無線ネットワークセンター１０６及びこれに関連したＨＬＲは、現存する認証キー及び／又は新しい認証キー‐加入者識別子セットとペアになる新しい加入者識別子を、無線端末が無線通信を経由して（ＯＴＡ）取得できるようにするため、プロビジョニングサーバ１１０と通信する。ある実施形態においては、認証キー又は認証キー‐加入者識別子の伝送は暗号化される。様々な実施形態においては、認証キー又は認証キー‐加入者識別子は、無線端末にて及び／又はＳＩＭカード内で復号される。新しい加入者識別子及び／又は認証キーセットを使用して、無線端末が認証されて、無線ネットワークサービスを取得しうるように、古い認証キー‐新しい加入者識別子対及び／又は新しい認証キー‐加入者識別子セットは、ＨＬＲ／ＡｕＣ１０８データベース又は無線ネットワークセンター１０６と関連したＨＬＲデータベースに、適切な方法で加えられる。様々な実施形態においては、無線ネットワークシステムは、セルラーシステム、ＧＳＭ／ＧＰＲＳ無線システム、ＣＤＭＡ若しくはＷＣＤＭＡ（登録商標）無線システム、ＴＤＭＡ無線システム、又は他のあらゆるタイプの無線ネットワークシステムである。
【００１３】
図２Ａは、一方の実施形態における認証データ構造の例である。ある実施形態においては、無線端末用の認証データ構造はＳＩＭ内に、ネットワーク用の認証データ構造は、図１のＨＬＲ／ＡｕＣ１０８又は無線ネットワークセンター１０６と関連したＨＬＲのようなＨＬＲ／ＡｕＣ内に、置かれる。無線端末用の認証データ構造（ＡＤＳ）は、認証キー（ＡＫ）及び１つ以上の加入者識別子（ＳＩ）を含み、無線ネットワークに対して無線端末を認証するのを助けるのに使用される。示された例示においては、無線端末１用のＡＤＳは、１つの認証キー及び１つの加入者識別子を含む。無線端末２用のＡＤＳは、１つの認証キー及び３つの加入者識別子を含む。無線端末Ｎ用のＡＤＳは、１つの認証キー及び２つの加入者識別子を含む。ネットワーク用のＡＤＳは、各無線端末用の認証キー‐加入者識別子エントリを含む。無線端末１、２及びＮ用のエントリが示されている。ある実施形態においては、各認証キーが複数の加入者識別子を有する所で２つ以上の認証キーがある。
【００１４】
図２Ｂは、他方の実施形態における認証データ構造の例である。無線端末用の認証データ構造（ＡＤＳ）は、Ｋｉ及び１つ以上のＩＭＳＩを含む。示された例示においては、無線端末１用のＡＤＳは、１つのＫｉ及び１つのＩＭＳＩを含む。無線端末２用のＡＤＳは、１つのＫｉ及び３つのＩＭＳＩを含む。無線端末Ｎ用のＡＤＳは、１つのＫｉ及び２つのＩＭＳＩを含む。ＨＬＲ／ＡｕＣ用のＡＤＳは、各無線端末用のＫｉ‐ＩＭＳＩエントリを含む。無線端末１、２及びＮのためのエントリが示されている。
【００１５】
図３は、無線ネットワークから無線サービスを取得するプロセスの実施形態を説明する線系統図である。ある実施形態においては、図３のプロセスは、図１における無線端末１００のような無線端末上で実施される。示された例示においては、３００において、無線信号は無線ネットワークから受信される。無線端末は、近くのネットワーク基地局から無線信号を受信する。３０２において、ネットワーク識別子は無線信号から復号される。無線信号は、モバイルネットワーク識別子を含む。例えば、無線端末は現存する無線システム信号をスキャンする。無線端末がネットワークシステムブロードキャスト制御チャネル（例えばＧＳＭシステムにおけるＢＣＣＨ）を見つけるとき、ロケーションエリア識別子（ＬＡＩ）を復号するために報知された情報を復号する。ＬＡＩは、モバイル国コード（ＭＣＣ）、モバイルネットワークコード（ＭＮＣ）及びロケーションエリアコード（ＬＡＣ）からなる。ＬＡＩから、無線端末は、動作している国を決定することができる。３０４において、加入者識別子は、復号されたネットワーク識別子に基づいて選択される。例えば、ＬＡＩ情報は、モバイル国コード、モバイルネットワークコード、及びモバイル加入者識別子番号を含む、無線端末の加入者識別子と突き合わされうる。様々な実施形態においては、ＬＡＩモバイル国コード及び加入者識別子モバイル国コードが突き合わされるか、又はＬＡＩモバイルネットワークコード及び加入者識別子モバイルネットワークコードが突き合わされる。様々な実施形態においては、加入者識別子の選択は、異なる無線ネットワークの価格設定、その接続のために請求される勘定、無線サービスのために請求される勘定、接続に使用するアプリケーション、無線サービスを使用するアプリケーション（例えばデータ通信のための１つの加入者識別子及びボイス通信のための異なる加入者識別子）、又はその他加入者識別子を選択するあらゆる適切な基準に、少なくとも一部分において基づいている。３０６において、無線サービスは無線ネットワークから取得する。
【００１６】
図４Ａは、ネットワークシステムにおける無線端末へ加入者識別子をプロビジョニングするプロセスの実施形態を説明する。また図１を参照すると、示された例においては、無線端末１００は、無線信号１０２を使用して無線ネットワークセンター１０６（及び関連するＨＬＲ）、ＨＬＲ／ＡｕＣ１０８及びプロビジョニングサーバ１１０から情報を受信し、これらへ情報を送信する。図４Ａ及び図４Ｂにおいて示されるように、無線ネットワークセンター１０６（及び関連するＨＬＲ）、ＨＬＲ／ＡｕＣ１０８、及びプロビジョニングサーバ１１０は、４０２によって集合的に識別される。４０４において、無線端末１００は、ネットワーク基地局１０４から送信された無線信号１０２をリッスンし、送信された情報からモバイルネットワーク識別子を復号する。例えば、無線端末は現存する無線システム信号をスキャンする。無線端末がネットワークシステムブロードキャスト制御チャネル（例えばＧＳＭシステムにおけるＢＣＣＨ）を見つけるとき、ロケーションエリア識別子（ＬＡＩ）を復号するために報知された情報を復号する。ＬＡＩは、モバイル国コード（ＭＣＣ）、モバイルネットワークコード（ＭＮＣ）、及びロケーションエリアコード（ＬＡＣ）からなる。ＬＡＩから、無線端末は、動作している国を決定することができる。無線端末は、ネットワークセンター、ＨＬＲ／ＡｕＣ、及びプロビジョニングサーバ４０２から加入者識別子セットを受信し、そのＡＤＳ内に記憶する。４０６において、無線端末は、そのＡＤＳから同じ国コードのある加入者識別子を選択する。例えば、加入者識別子は、モバイル国コード（ＭＣＣ）、モバイルネットワークコード（ＭＮＣ）、及びモバイル加入者識別子番号（ＭＳＩＮ）からなる。加入者識別子内のコードは、加入者識別子をローカルネットワーク及び／又は国と突き合わせるのに使用されうる。無線端末のＡＤＳ内に記憶される加入者識別子の残りは、そのセッションの間、無効にされうる。
【００１７】
４０８において、無線端末は、新しい加入者識別子を使用して、訪問先の無線ネットワークでロケーションアップデートを実行する。４１０において、ネットワークセンター、ＨＬＲ／ＡｕＣ、及びプロビジョニングサーバ４０２は、そのＡＤＳ内の加入者識別子を探し、対応する認証キーを検索する。４１２において、認証アルゴリズム（Ａ３）を使用して、チャレンジは、生成され（ＲＡＮＤ）、認証キーと共にレスポンスを計算する（ＳＲＥＳ）のに使用される。４１４において、ＲＡＮＤは無線端末に送信され、レスポンスが要求される。４１６において、無線端末は、そのＳＩＭ内に記憶された暗号化アルゴリズム（Ａ３）を使用してＳＲＥＳを独自に計算するために、そのＡＤＳから認証キーと共にＲＡＮＤを使用する。４１８において、ＳＲＥＳは、ネットワークセンター及び／又はＨＬＲ／ＡｕＣ及び／又はプロビジョニングサーバ４０２へ送信される。４２０において、受信されるＳＲＥＳがローカルに算出されるＳＲＥＳと一致するならば認証は認められ、そうでなければ認証は失敗する。
【００１８】
図４Ｂは、ネットワークシステムにおける無線端末へ加入者識別子をプロビジョニングするプロセスの他の実施形態を説明する。ある場合には、無線端末は、ローカルネットワークシステムの国コードと一致するＩＭＳＩを含まない。無線端末は、他の国コードがあるＩＭＳＩを使用して、それからローカルＩＭＳＩ（すなわち国コードと一致するＩＭＳＩ）又は新しい訪問先のＩＭＳＩを受信又はダウンロードして、ネットワークに接続することができる。示された例示において、無線端末４００Ｂは、ネットワークセンターから情報を受信し、ネットワークセンターへ及びセルラー信号を使用する現在有効なＩＭＳＩのホームネットワークのＨＬＲ／ＡｕＣへ情報を送信する。ホームネットワークＨＬＲ／ＡｕＣは、ローミング加入者のネットワーク登録情報をプロビジョニングサーバ４０２Ｂへ送信する。４０４Ｂにおいて、無線端末４００Ｂは、ネットワークタワーから送信されたセルラー信号をリッスンし、送信された情報から国コードを復号する。４０６Ｂにおいて、無線端末４００Ｂは、現在有効なＩＭＳＩのホームネットワークのＨＬＲ／ＡｕＣと通信し、認証される。ホームネットワークＨＬＲ／ＡｕＣは、ローミング加入者のネットワーク登録情報を、訪問先の国／ネットワークコード及び端末生産者を含む情報を送信するプロビジョニングサーバへ、送信する。４０８Ｂにおいて、プロビジョニングサーバは、ローカルな国／ネットワークコード又は他の新しい国／ネットワークコードのある新しいＩＭＳＩを選択する。４１０Ｂにおいて、新しいＩＭＳＩは、無線端末に対応する（すなわち無線端末のＫｉとペアになる）プロビジョニングサーバによって、ＨＬＲ／ＡｕＣ（又はネットワークシステムと関連するＨＬＲ）のＡＤＳへ加えられる。４１２Ｂにおいて、プロビジョニングサーバは、新しいＩＭＳＩを無線端末４００Ｂへ、無線通信を経由して（例えばＳＭＳＣを経由して）送信する。４１４Ｂにおいて、無線端末４００Ｂは、そのＡＤＳへ新しいＩＭＳＩを加える。４１６Ｂにおいて、無線端末４００は、有効なＩＭＳＩとしての新しいＩＭＳＩでネットワークシステムとの接続を再構築する。ある実施形態においては、送信される情報（すなわち無線端末のＩＭＳＩの範囲又はタイプ）次第で、無線端末と特定のアプリケーションサーバ（すなわちグローバルプラットフォームプロバイダーのプロビジョニングサーバ又はその他のサーバ）の間で通信は構築されうる。ある実施形態においては、この特定のアプリケーションサーバとの通信は暗号化される。
【００１９】
図５は、ネットワークシステムにおける無線端末へ加入者識別子をプロビジョニングするプロセスの実施形態を説明する。ある実施形態においては、無線端末は、ローカルネットワークシステムのネットワークコード及び／又は国コードと一致する加入者識別子を含まない。無線端末は、他のネットワーク／国コードのある加入者識別子を使用して、それからローカルな加入者識別子（すなわち国コードと一致する加入者識別子）又は新しい訪問先の加入者識別子を受信又はダウンロードして、ネットワークへ接続することができる。また、図１及び図４Ａを参照すると、示された例示において、無線端末１００は、ネットワークセンター１０６（及び関連するＨＬＲ）から情報を受信し、ネットワークセンター１０６（及び関連するＨＬＲ）及び現在有効な加入者識別子のホームネットワークのＨＬＲ／ＡｕＣ１０８へ情報を送信する。ホームネットワークＨＬＲ／ＡｕＣは、ローミング加入者のネットワーク登録情報をプロビジョニングサーバ１１０へ送信する。５０４において、無線端末１００は、ネットワーク基地局１０４から送信された無線信号をリッスンし、図４Ａの４０４と同様の送信された情報からモバイルネットワーク識別子を復号する。５０６において、図４Ａの４０８‐４２０と同様のプロセスを使用して、プロビジョニングサーバ１１０が訪問先の国／ネットワークコード及び端末生産者を含む情報を送信して、無線端末１００は、現在有効な加入者識別子のホームネットワークのＨＬＲ／ＡｕＣと通信し、認証される。５０８において、プロビジョニングサーバ１１０は、ローカルな国コード及び／又はネットワークコードのある新しい加入者識別子、又は新しい訪問先の加入者識別子を選択する。５１０において、新しい加入者識別子は、ＨＬＲ／ＡｕＣ１０８のＡＤＳ、又は無線端末に対応する（すなわち無線端末の認証キーとペアになった）訪問先のネットワークと関連するＨＬＲに加えられる。５１２において、プロビジョニングサーバ１１０は、新しい加入者識別子を無線端末５００へ、無線回線を経由して（例えばＳＭＳＣを経由して）送信する。５１５において、無線端末１００は、新しい加入者識別子をそのＡＤＳへ加える。５１６において、無線端末１００は、有効な加入者識別子としての新しい加入者識別子でネットワークシステムとの接続を再構築する。ある実施形態においては、送信された情報（例えば、無線端末の加入者識別子の範囲又はタイプ）次第で、無線端末と特定のアプリケーションサーバ（グローバルプラットフォームプロバイダーのプロビジョニングサーバ又は他のサーバ）の間の通信は構築されうる。ある実施形態においては、この特定のアプリケーションサーバとの通信は暗号化される。
【００２０】
図６は、無線ネットワークから無線サービスを取得するプロセスの実施形態を説明する系統線図である。示された例示においては、６００において、無線信号は無線ネットワークから受信される。６０２において、無線サービスは第１加入者識別子を使用して無線ネットワークから取得される。６０４において、情報は無線ネットワークへ送信される。６０６において、アプリケーションサーバ（又は図１のプロビジョニングサーバ１１０）によって選択された第２加入者識別子が受信される。第２加入者識別子は、少なくとも一部は１つ以上の下記のものに基づいて選択される。それは、無線ネットワーク、無線ネットワーク識別子、無線端末が通信している基地局、ネットワークと関連するローカルな国、又はその他加入者識別子を選択するあらゆる適切な基準、である。様々な実施形態においては、第１加入者識別子及び第２加入者識別子は両方とも単一の認証キーとペアになるか、又は第１加入者識別子は第１認証キーとペアになり第２加入者識別子は第２認証キーとペアになる。ある実施形態においては、第２認証キーが受信される。様々な実施形態においては、加入者識別子及び／又は認証キーは、暗号化された後に受信され、受信された後に復号される必要がある。ある実施形態においては、加入者識別子は、認証キーを使用して暗号化され復号される。様々な実施形態においては、加入者識別子及び／又は認証キーは、アプリケーションサーバにおいて、プロビジョニングサーバにおいて、無線ネットワークサーバにおいて、アプリケーションサーバ／プロビジョニングサーバ及び無線ネットワークサーバの組み合わせにおいて、又は暗号化するのに適したその他あらゆる場所において、暗号化される。様々な実施形態においては、加入者識別子及び／又は認証キーは、無線端末において、ＳＩＭカードにおいて、ＳＩＭカード及び無線端末の組み合わせにおいて、又は復号に適したその他あらゆる場所において、復号される。ある実施形態においては、例えば、認証キーを使用して暗号化されたランダムな数字、認証キーを使用して暗号化された加入者識別子、又は認証キーや他の適切なキーを使用して暗号化された他の情報である、認証情報が受信される。６０８において、無線サービスは、第２加入者識別子を使用して無線ネットワークから取得される。
【００２１】
状態遷移又は割当規則(allocation rules)を使用する無線通信プロビジョニング
識別子と関連付けられた状態遷移又は割当規則を使用する無線通信プロビジョニングが開示される。１つ以上の識別子と関連付けられた第１状態が定められる。１つ以上の識別子と関連付けられた第２状態が定められる。第１状態と第２状態の間の状態遷移又は割当規則が定められる。ある実施形態においては、１つ以上の識別子は、ＳＩＭ内に記憶される。ある実施形態においては、１つ以上の識別子はＩＭＳＩである。ある実施形態においては、複数の状態が定められ、複数の状態遷移又は割当規則が定められ、状態及び遷移／割当規則のグループが選択され、１つ以上の識別子と関連付けられる。ある実施形態においては、無線通信は、モバイルデータ、モバイルセルラー通信、又はその他あらゆる適切な無線通信を含む。
【００２２】
ある実施形態においては、顧客組織は、１つ以上の無線キャリアネットワークを経由してグローバルプラットフォームプロバイダーのアプリケーションサーバとデータ通信するデバイスの一連の状態を定める。プロバイダー（例えばグローバルプラットフォームプロバイダー）は無線キャリアネットワークを経由する通信を可能にする。複数の状態は、特にテスト、活性化、非活性化等に関する各活動についての適切な代金請求、アクセス及び／又は認証とのデータ通信において使用されるカスタマーデバイス又はプロバイダーデバイスのプロビジョニングの活動を可能にする。
【００２３】
図７は、モバイルデータ通信プロビジョニングのシステムの実施形態のブロック図を説明する。示された例示においては、デバイス７００は、データ通信するモバイルデバイスを含む。デバイス７００は、例えば汎用パケット無線システム（ＧＰＲＳ）であるモバイルデータサービス（ＭＤＳ）７０２、及び例えば（ＩＭＳＩのような）加入者識別子である識別子（ＩＤ）７０４を含む。データは、ＭＤＳ７０２を使用してデバイス７００によって送受信されうる。デバイス７００は、ＩＤ７０４を使用して識別され、ユーザー又は顧客に関連付けられる。データの送受信は、ＭＤＳ７０２と関連するキャリアネットワーク７１２に通じている。様々な実施形態においては、ＭＤＳ７０２と関連するキャリアネットワークは、モバイルキャリアネットワーク、携帯電話ネットワーク、メッセージングネットワーク、無線通信ネットワーク、又はモバイルデバイスにデータを伝達するのに適切なその他のあらゆるネットワーク、を含む。
【００２４】
キャリアネットワーク７１２は、キャリアスイッチングネットワーク７１０（例えば、ＧＳＭ(Global System for Mobile communication)ネットワークにおいて使用されるＳＧＳＮ（Serving GPRS Support Node））、キャリアデータトラフィックハンドラー７０８（例えば、ＧＲＸ(GPRS Roaming eXchange)及び／又はＳＳ７（共通線信号Ｎｏ．７））、及びタワー７０６により図７に表されている複数のキャリアタワー、を含む。デバイス７００への及びデバイス７００からのデータトラフィックの通信は、キャリアデータトラフィックハンドラー７０８とデータトラフックを通信するキャリアタワーによりキャリアネットワーク７１２によって受信される。キャリアデータトラフィックハンドラー７０８は、キャリアスイッチングネットワーク７１０とデータトラフィックを通信する。キャリアスイッチングネットワーク７１０はネットワーク７１４、並びにプロバイダーシステム７２４の認証センター／ホームロケーションレジスタ（ＨＬＲ）７２８及び認証・許可・課金（ＡＡＡ）サーバ７３０（例えばＲＡＤＩＵＳサーバ）、と通信することができる。ある実施形態においては、プロバイダーシステム７２４は、制御センターとしてのグローバルプラットフォームプロバイダーによって運営される。
【００２５】
ネットワーク７１４は、顧客アプリケーションサーバ７１８及び顧客管理者７２０を含む、顧客システム７１６との通信を可能にする。ある実施形態においては、ネットワーク７１４は、インターネット、ＬＡＮ、ＷＡＮ、有線ネットワーク、無線ネットワーク、又は顧客システム７１６と通信するのに適切なあらゆるその他のネットワーク、を含む。顧客アプリケーションサーバ７１８は、顧客サービス又は製品に関してデバイス７００からデータを受信し、デバイス７００へデータを送信する。様々な実施形態においては、顧客サービスは、サービス関連の取引、監視サービス、及び／又は位置追跡サービスを含む。ある実施形態においては、デバイス７００と関連したあるプロビジョニング状態から他のプロビジョニング状態への遷移を定める状態遷移又は割当規則は、顧客アプリケーションサーバ７１８で実施される。ある実施形態においては、デバイス７００と関連したあるプロビジョニング状態から他のプロビジョニング状態への遷移を定める状態遷移又は割当規則は、デバイス７００には知られていない。
【００２６】
プロバイダーシステム７２４は、ＨＬＲ７２８、ＡＡＡサーバ７３０、アプリケーションサーバ７２６、データベース（ＤＢ）７３２、及び管理者７３４を含む。プロバイダーシステム７２４がグローバルプラットフォームプロバイダーの制御センターである実施形態においては、アプリケーションサーバ７２６は、他の機能に加えて、図１のプロビジョニングサーバ１１０のようなプロビジョニングサーバの機能を実行することができる。プロバイダーシステム７２４は、キャリアネットワークを経由してデバイス７００でデータ通信サービスを可能にすることにより、顧客サービスを可能にする。ＨＬＲ７２８は、デバイス７００がキャリアネットワーク７１２を通って顧客システム７１６とデータ通信できるかどうかを知らせることによって、プロバイダーシステムとの通信を可能にする。ＡＡＡサーバ７３０は、キャリアネットワーク７１２経由でのデバイス７００と顧客システム７１６の間のデータ通信に関して使用可能な特定アクセス許可を可能にする。アプリケーションサーバ７２６は、プロバイダーに対してプロビジョニングし、課金することを可能にする。プロビジョニングは、デバイス７００のようなデバイスが、モバイルキャリアネットワークを使用してモバイルデータ通信サービスを有することができるようにすることを、含む。ＤＢ７３２は、プロバイダーに対してプロビジョニングし、課金することに関連した情報を含む。管理者７３４は、プロバイダーシステムを管理する。顧客システム管理者７２０は、プロバイダー７２４によって可能となったキャリアネットワーク７１２のデータ通信サービスに対しての顧客システム使用法、課金、プロビジョニングを管理するために、プロバイダーアプリケーションサーバ７２６と通信する。ある実施形態においては、ＨＬＲ７２８及びＡＡＡサーバ７３０の機能性は、同じサーバにより実行されるか、必ずしもここに記載されていないような２つのサーバの間に分けられるか、又は同じ機能性を実行するためのその他のあらゆるサーバ構成に分けられる。
【００２７】
図８は、モバイルデータ通信プロビジョニングのプロセスの実施形態を説明する系統線図である。ある実施形態においては、図８のプロセスは、モバイルデータ及び／又は無線通信はネットワークキャリア７１２を経由して顧客システム７１６が利用可能であるように、図７のデバイス７００をプロビジョニングするのを助ける。示された例示においては、８００において、１つ以上の識別子と関連付けられた状態が定められる。１つ以上の識別子と関連付けられた状態は、テストレディ、在庫管理、活性化レディ、活性化、非活性化、リタイヤ、返品保証（ＲＭＡ）、中断、詐欺レビュー(fraud review)、消去される、及び／又はその他のあらゆる適切な状態を含むことができる。様々な実施形態においては、識別子は、国際集積回路カード識別子（ＩＣＣＩＤ）、国際移動体加入者識別子（ＩＭＳＩ）、顧客識別子、ユーザー識別子、又はデバイス識別子でありうる。様々な実施形態においては、１つ以上の識別子は、ユーザー、顧客、会社、組織等と関連した識別子、又はユーザー、顧客、会社、組織等と関連した識別子グループを含む。
【００２８】
ある実施形態においては、１つ以上の状態は、無線通信デバイスのサービスのライフサイクルに基づいている。
【００２９】
テストレディ状態は、ＳＩＭ又はＳＩＭのついたデバイスを、及び、ＳＩＭ又はＳＩＭのついたデバイスをエンドユーザー、小売りの場所、又は販売者に送り届ける前のネットワーク通信インフラを、製造会社が試験できるように使用されうる。テストレディ状態は、グローバルプラットフォームプロバイダーのＨＬＲ及びＡＡＡサーバで認証及び許可されるもののそれに関連してまったく課金されないＳＩＭの初期状態でありうる。テストレディ状態におけるＳＩＭは、データ、ボイス、及び／又はショートメッセージサービス（ＳＭＳ）通信を条件付きで行うことができ、例えば、通信が最大データ送信／受信量まで発生しうるか、又は最初のデータ通信から最大日数まで発生しうるような状態の間は、通信にある制限が置かれうる。テストレディ状態は、前提条件の状態を有さず、次の状態への制限を有さず（例えば、次の状態としてすべての状態が許される）、排他的な規則を有さず、必須の状態でありえ、及び自動及び／又は手動遷移が許されうる。
【００３０】
在庫管理状態は、ＳＩＭがデバイス内に置かれ、デバイスの識別子（例えば、端末識別子又は販売時点端末識別子）と関連付けられるように使用されうる。在庫管理状態は、活性化レディ状態と共存できない。在庫管理状態は、ネットワークと接続することはできず、状態を変えるためには手動の変更が必要である。在庫管理状態は、前提条件としてのテストレディ状態を有しえ、次の状態への制限を有さず（例えば、次の状態としてすべての状態が許される）、活性化レディ状態と共存できないという点で排他性規則を有しえ、必須の状態ではなく、及び手動遷移のみ許されうる。
【００３１】
活性化レディ状態は、ＳＩＭが活性化される準備ができるようにするのに使用されうる。活性化レディ状態は、プロバイダーシステムのＨＬＲ及びＡＡＡサーバで認証及び許可するが、課金は発生しない。第１データ通信（例えば第１パケットデータプロトコル（ＰＤＰ）コンテクスト通信）後に、ＳＩＭ状態は自動的に活性化状態に変わりうる。活性化レディ状態は、前提条件としてのテストレディ状態又は在庫管理状態を有しえ、次の状態への制限を有さず（例えば、次の状態としてすべての状態が許される）、在庫管理状態と共存できないという点で排他性規則を有しえ、及び活性化状態への自動遷移又はその他状態への手動遷移が許されうる。
【００３２】
活性化状態は、ＳＩＭ又はＳＩＭのついたデバイスがユーザーによって使用されることができるようにするのに使用されうる。活性化状態においては、ＳＩＭは、プロバイダーシステムのＨＬＲ及びＡＡＡサーバを認証及び許可する。この状態に変わると課金がすぐに開始する。プロバイダーシステムは、適切な情報が課金データベース上だけでなくプロバイダーシステムのＨＬＲ及びＡＡＡサーバ上に含まれるか確認するのをチェックしうる。ある場合には、チェックは、ＳＩＭ内に記憶された識別子（例えばＩＭＳＩ、顧客識別子、デバイス識別子等）のチェックを含む。活性化状態は、前提条件としてのテストレディ状態、在庫管理状態、活性化レディ状態を有しえ、次の状態の可能性としては非活性化、消去された、又はリタイヤ状態を有しえ、排他性規則を有さず、必須の状態ではなく、及び次の状態へは手動遷移のみが許されうる。
【００３３】
非活性状態は、ＳＩＭ又はＳＩＭのついたデバイスがユーザーによって非活性化されることができるようにするのに使用されうる。非活性化状態においては、ＳＩＭは、認証することは許されず、課金されない。プロバイダーシステムのＡＡＡサーバ及びキャリアネットワークのＧＧＳＮ(Gateway GPRS Support Node)は、ＳＩＭが非活性化されたことを知らせる通知（例えばパケット）が、送信されうる。非活性化状態は、前提条件としての活性化状態を有しえ、次の状態の可能性としては活性化、消去された、又はリタイヤ状態を有しえ、排他性規則は有さず、必須の状態ではなく、及び次の状態へは手動遷移のみが許されうる。
【００３４】
リタイヤ状態は、ＳＩＭ又はＳＩＭつきのデバイスがプロバイダー又はユーザーによって償還されることができるようにするのに使用されうる。リタイヤ状態においては、ＳＩＭは認証するのは許されず、課金は終了する。リタイヤ状態は、消去された状態を除いて前提条件としてのあらゆる状態を有しえ、次の状態の可能性としてはあらゆる状態を有しえ（すなわちすべての状態が可能）、排他性規則は有さず、必須の状態ではなく、及び次の状態へは手動遷移のみが許されうる。
【００３５】
消去された状態は、ＳＩＭ又はＳＩＭのついたデバイスがプロバイダーによって消去されることができるようにするのに使用されうる。消去された状態においては、ＳＩＭは認証するのは許されず、加入者識別子はシステムから削除される（例えば、プロバイダーシステムのＨＬＲから永久に削除されるＩＭＳＩ）。消去された状態は、前提条件としてあらゆる状態を有しえ、次の状態の可能性は有さず、排他性規則は有さず、必須の状態ではなく、次の状態へのあらゆる遷移が許されえない。
【００３６】
ある実施形態においては、顧客によって状態は定められる。ある実施形態においては、状態はインターネットに基づいたサービスを使用して定められる。
【００３７】
ある実施形態においては、状態定義は通信セッションをサポートせず、その状態への遷移は、現存の開いている通信セッションを終わらせる。
【００３８】
ある実施形態においては、第１無線通信プロビジョニング状態は、通信デバイスがあらゆる課金請求をこうむることなくトラフィックをパスできるようにし、関連した状態遷移規則は、課金請求を受ける第２プロビジョニング状態への自動遷移を許す。ある実施形態においては、第１無線通信プロビジョニング状態は、通信デバイスがあらゆる課金請求をこうむることなくトラフィックをパスできるようにし、関連した状態遷移規則は、通信デバイスにトラフィックをパスすることを許さない第２プロビジョニング状態への自動遷移を許す。
【００３９】
８０２において、２つの状態の間の状態遷移又は割当規則が定められる。ある状態から他の状態への遷移は、所定の条件で自動的に、又は手動で、起こりうる。もし遷移がある条件が満たされることに基づいていると（例えば、確立された第１データ通信‐ＰＤＰコンテクストに基づいていると）、状態は自動的にある状態から他の状態へ変化する（例えば、活性化レディ状態から活性化状態へ）。様々な実施形態においては、遷移条件は１つ以上の下記のものに基づいている。それは、前の状態遷移以後の所定の経過時間、所定のサービス利用量を上回るサービス利用量、１つ以上のサービスシグナリング、又はその他のあらゆる適切な条件である。様々な実施形態においては、条件は、排他性規則、状態規則、通信データ転送、又はその他のあらゆる適切な条件に基づいている。ある状態から他の状態への手動変更は、直接にプロバイダーシステムからの介入を必要とする。それは例えば、管理ポータルを通した動作、ＳＩＭ又はＳＩＭのついたデバイスへファイルをアップロードすること、又はアプリケーションプログラミングインタフェース（ＡＰＩ）呼び出し、である。
【００４０】
様々な実施形態においては、状態遷移又は割当規則が、個々のデバイス若しくはデバイスグループについて定められうるか、又は異なる規則が、異なる個々のデバイス、異なるデバイスグループ、若しくはデバイス提供者の必要性を満たすのに適切であるようなその他のあらゆる適切な組み合わせについて定められうる。
【００４１】
ある実施形態においては、状態グループが定められ、遷移／割当規則のグループが定められ、それから状態及び遷移／割当規則の選択が１つ以上の識別子と関連付けられる。
【００４２】
ある実施形態においては、顧客が状態遷移／割当規則を選択する。ある実施形態においては、顧客が状態遷移／割当規則を定める。様々な実施形態においては、インターネットサービスを使用して、ローカルプログラムインタフェースを使用して、又は状態遷移規則を選択し定めるのに適切なその他のあらゆる方法を使用して、状態遷移／割当規則は選択され、及び／又は定められる。
【００４３】
ある実施形態においては、状態遷移／割当規則は、活性化されたときに、現存する通信セッションを終わらせる。
【００４４】
図９は、状態定義の実施形態を説明するブロック図である。ある実施形態においては、状態は識別子、例えば、ＳＩＭ、デバイス識別子（例えば国際移動体装置識別番号（ＩＭＥＩ））、ベンダー識別子、又はその他のあらゆる適切な識別子、と関連付けられる。示された例示においては、状態定義は、状態名、状態説明、必須状態フラグ、前提条件の状態、許された次の状態、排他性規則、及び状態間遷移を許可する条件を説明する利用可能な遷移モード、を含む。例えば、テストレディ状態は、（ａ）テストレディの状態名を有し、（ｂ）ＳＩＭの状態説明は、課金されずに制限された方法で、製造会社によってネットワークでその動作をテストされることができ、（ｃ）テストレディ状態が必要であることを示す必須状態フラグを有し、（ｄ）テストレディ状態は前提条件の状態がなく、（ｅ）テストレディから許される次の状態は、在庫管理、活性化レディ、活性化、リタイヤ、又は消去された状態であり、（ｆ）テストレディ状態に排他性規則はなく、（ｇ）利用可能な遷移モードは、排他性規則又は手動変更に基づいて、在庫管理状態又は活性化レディ状態へ自動的になる。
【００４５】
図１０は、状態遷移／割当規則定義の実施形態を説明する。様々な実施形態において、状態遷移／割当規則定義は、識別子と関連した状態又は識別子と関連付けられる。示された例示においては、状態遷移／割当規則定義は、現在状態、遷移条件、状態遷移先、遷移説明、を含む。例えば、ＳＩＭが入ったデバイスが、ユニットを小売りの顧客に販売することによって、サービスプロバイダーがその活動範囲にユニットを置くことによって、又はその他のあらゆる適切な方法によって配置されるときに、ＳＩＭは在庫管理状態から活性化レディ状態へ手動で変更されうる。例えばその他には、ＰＤＰコンテクストが確立され、データがＳＩＭ又はＳＩＭを有するデバイスへ伝達され、ＳＩＭ又はＳＩＭを有するデバイスから伝達されるとき、ＳＩＭは活性化レディ状態から活性化状態へ自動的に変更されうる。
【００４６】
図１１は、プロビジョニング及び状態間遷移のチャネル販売モデルの状態の実施形態を説明する系統線図である。ある実施形態においては、ＳＩＭの初期状態はテストレディ状態である。示された実施形態においては、テストレディ状態１１００において、デバイスはテストする準備ができている。ＳＩＭは、テストレディ状態で相手先商標製品の製造会社（ＯＥＭ）、例えば１つ以上のキャリアネットワークを経由してユーザーデバイスが顧客へのデータ通信をできるようにするプロバイダーにより提供される接続性サービスの使用を待っている顧客、へ出荷される。テストレディ状態１１００においては、ＳＩＭは、プロビジョニングすること及びＰＤＰセッションを確立する（例えば、キャリアネットワークのＧＧＳＮに接続し、インターネットに接続し、顧客のアプリケーションサーバに接続することができる）ことを許される。ＳＩＭがテストレディ状態のときに、ＯＥＭに対する課金は発生しない。この接続性は、遷移１１０１まで許される。テストレディ状態からの遷移１１０１は、手動で引き起こされる遷移であるか、又は（１）ＰＤＰセッションが最大数、例えば１０セッション、発生した、（２）キャリアネットワークを経由してＳＩＭ／デバイスとのデータ送受信が最大量、例えば１００キロバイト、になった、若しくは（３）テストレディ状態における第１ＰＤＰコンテクスト以後の時間経過が最大時間、例えば９０日、になった、という条件にＳＩＭが達するときの、その条件に基づいて自動的に引き起こされる。遷移が引き起こされるとき、ＳＩＭは在庫管理状態１１０２へ変わる。
【００４７】
在庫管理状態１１０２においては、デバイスはユーザーへ引き渡されるのを待っている。この状態においては、接続可能性はなく、課金は発生しない。この状態は遷移１１０３まで維持される。遷移１１０３は、ＯＥＭ又は顧客若しくはそのチャネルサービスプロバイダーが状態変更を手動で引き起こすときに、発生する。状態変更が引き起こされるとき、ＳＩＭは活性化状態１１０４へと変わる。活性化状態１１０４においては、デバイスはユーザーによって使用される。活性化状態１１０４においては、ＳＩＭは、ＰＤＰセッションを確立することができ、キャリアネットワークを経由して顧客アプリケーションサーバへデータを通信させ、転送することができる。ユーザーはプロバイダーによって提供されたサービスについて課金される。課金情報は、ネットワークキャリア及びプロバイダーのデータベースから関連データを集めることによって、顧客に提供される。ＳＩＭは、遷移が引き起こされるまで、活性化状態のままでいる。遷移１１０５は、手動で又は自動的に引き起こされうる。様々な実施形態においては、遷移１１０５は、許される最大数の接続、転送されるデータ最大量、ＰＤＰセッション開始以後の最大時間、又はその他のあらゆる適切な自動トリガー条件によって、自動的に引き起こされる。ある実施形態においては、ユーザー又は顧客もまた、手動で遷移１１０５を引き起こし非活性化状態１１０６にすることができる。
【００４８】
非活性化状態１１０６においては、非活性化状態にあることにより端末ユーザー又は顧客システム要求の要請を受けて、デバイスは使用済みになる。非活性化状態１１０６においては、ＳＩＭはＰＤＰセッションを接続及び確立できない。非活性化状態１１０６である間は、接続性に対する課金はない。遷移１１０７は、自動的に（例えばある期間後に）又は手動で（例えば顧客によって）、引き起こされうる。遷移１１０７が引き起こされるとき、ＳＩＭは消去された状態１１０８へ状態を変える。消去された状態１１０８においては、ＳＩＭ及びＳＩＭが入ったデバイスは、システムから削除される。消去された状態１１０８においては、ＳＩＭはＰＤＰセッションを接続及び確立できない。トリガー又はこの状態と関連した課金はない。顧客会計は、在庫管理又は資産台帳からそのアイテムを取り除きうる。消去された状態１１０８は、プロバイダーシステムのＨＬＲからＩＭＳＩ及びＩＣＣＩＤを自動的に削除する。
【００４９】
図１２は、プロビジョニング及び状態間遷移の小売モデルの状態の実施形態を説明する系統線図である。図１２における状態及び遷移は、活性化レディ状態を除き、図１１における状態及び遷移と似ている。ある実施形態においては、ＳＩＭの初期状態は、テストレディ状態である。示された例示においては、テストレディ状態１２００において、デバイスはテストする準備ができている。ＳＩＭは、テストレディ状態でＯＥＭ、例えば１つ以上のキャリアネットワークを経由してユーザーデバイスが顧客へのデータ通信をできるようにするプロバイダーにより提供される接続性サービスの使用を待っている顧客、へ出荷される。テストレディ状態１２００においては、ＳＩＭは、プロビジョニングすること及びＰＤＰセッションを確立する（例えば、キャリアネットワークのＧＧＳＮに接続し、インターネットに接続し、顧客のアプリケーションサーバに接続することができる）ことを許される。ＳＩＭがテストレディ状態のときに、ＯＥＭに対する課金は発生しない。この接続性は、遷移１２０１まで許される。テストレディ状態からの遷移１２０１は、手動で引き起こされる遷移であるか、又は（１）ＰＤＰセッションが最大数、例えば５セッション、発生した、（２）キャリアネットワークを経由してＳＩＭ／デバイスとのデータ送受信が最大量、例えば１メガバイト、になった、若しくは（３）テストレディ状態における第１ＰＤＰコンテクスト以後の時間経過が最大時間、例えば１年、になった、という条件にＳＩＭが達するときの、その条件に基づいて自動的に引き起こされる。遷移が引き起こされるとき、ＳＩＭは活性化レディ状態１２０２へ変わる。
【００５０】
活性化レディ状態１２０２においては、デバイスはユーザーへ引き渡されるのを待っている。様々な実施形態においては、活性化レディ状態は、デバイスがＯＥＭから小売り場所、販売パートナー、直接端末ユーザーへ出荷されるとき、又は、ＳＩＭ若しくはＳＩＭを有するデバイスが端末ユーザーの手元に入ろうとしているが課金／サービスを完全に実施させる準備ができていないとき、ＯＥＭによるテスト後に、設定される。この状態においては、ＳＩＭ接続性は可能であり、ＰＤＰセッションは確立されうる。第１ＰＤＰセッションが起こるとすぐに遷移１２０３が引き起こされる。この状態変更が引き起こされるとき、ＳＩＭは活性化状態１２０４に変わる。活性化状態１２０４においては、デバイスはユーザーによって使用される。活性化状態１２０４においては、ＳＩＭは、ＰＤＰセッションを確立することができ、キャリアネットワークを経由して顧客アプリケーションサーバへデータを通信させ、転送することができる。ユーザーはプロバイダーによって提供されたサービスについて課金される。課金情報は、ネットワークキャリア及びプロバイダーのデータベースから関連データを集めることによって、顧客に提供される。ＳＩＭは、遷移が引き起こされるまで、活性化状態のままでいる。遷移１２０５は、手動で又は自動的に引き起こされうる。様々な実施形態においては、遷移１２０５は、許される最大数の接続、転送されるデータ最大量、ＰＤＰセッション開始以後の最大時間、又はその他のあらゆる適切な自動トリガー条件により、自動的に引き起こされる。ある実施形態においては、ユーザー又は顧客もまた、遷移１２０５を手動で引き起こし非活性化状態１２０６にすることができる。
【００５１】
非活性化状態１２０６においては、非活性化状態にあることにより端末ユーザー又は顧客システム要求の要請を受けて、デバイスは使用済みになる。非活性化状態１２０６においては、ＳＩＭはＰＤＰセッションを接続及び確立できない。非活性化状態１２０６である間は、接続性に対する課金はない。遷移１２０７は、自動的に（例えばある期間後に）又は手動で（例えば顧客によって）、引き起こされうる。遷移１２０７が引き起こされるとき、ＳＩＭは消去された状態１２０８へ状態を変える。消去された状態１２０８においては、ＳＩＭ及びＳＩＭが入ったデバイスはシステムから削除される。消去された状態１２０８においては、ＳＩＭはＰＤＰセッションを接続及び確立できない。トリガー又はこの状態と関連した課金はない。顧客会計は、在庫管理又は資産台帳からそのアイテムを取り除きうる。消去された状態１２０８は、グローバルプラットフォームプロバイダーシステムのＨＬＲからＩＭＳＩ及びＩＣＣＩＤを自動的に削除する。
【００５２】
図１３はプロビジョニング無線通信のプロセスの実施形態を説明する系統線図である。示された実施形態においては、１３００において、識別子と関連付けられた状態の定義が受信される。ある実施形態においては、状態定義及び／又は選択は、インターネットベースのアプリケーションを使用して受信される。様々な実施形態においては、状態定義は、異なる識別子で同じであるか、又は異なる。様々な実施形態においては、プロビジョニングの状態（例えばデバイス）は、課金を許し、通信セッションを許し、活性化を許し、課金を許さず、通信セッションを許さず、活性化を許さず、又は状態と関連付けられたその他のあらゆる適切な動作を許し若しくは許さない。１３０２においては、２つの状態間の状態遷移規則の定義が受信される。ある実施形態においては、状態遷移規則／割当の定義及び／又は選択が、インターネットベースのアプリケーションを使用して受信される。様々な実施形態においては、遷移は自動的又は手動であり、遷移条件で引き起こされる。様々な実施形態においては、自動及び／又は手動遷移は、前の状態、前の遷移若しくは前の特定の／任意の通信からの経過時間、絶対時間、絶対日、トラフィックの所定量の後、トラフィックの所定レベルに達する前、特定のロケーション、番号、デバイス、若しくはサービスセンターとの通信後、サービス通知若しくはシステムメッセージ送信後、サービスメッセージ若しくは条件受信後、特定のロケーション、デバイス、サーバ、若しくはサービスセンターからの通信、又はその他のあらゆる適切な遷移条件、を含む。１３０４においては、現在状態の遷移規則と関連付けられた遷移条件が満たされているかどうかが決定される。適切な遷移条件が満たされなかった場合は、制御は１３０４に居続ける。適切な遷移条件が満たされる場合は、１３０６において、遷移規則に応じて２つの状態間での遷移が許される。ある実施形態においては、プロビジョニング状態の実施、状態遷移規則実施、及び遷移条件の評価は、無線ネットワーク及び無線デバイスと通信するサーバ上で行われる。ある実施形態においては、そのサーバは、グローバルプラットフォームプロバイダーの制御センターに位置し、又はさもなければグローバルプラットフォームプロバイダーの制御センターによって運営される。
【００５３】
ＳＩＭを管理するグローバルプラットフォーム
無線デバイスのＳＩＭを管理するグローバルプラットフォームが記載される。グローバルプラットフォームは、異なる国又は大陸で運用されうる広範なネットワークキャリアの業務支援システム（ＢＳＳ）及び運用支援システム（ＯＳＳ）を提供する。グローバルプラットフォームは、パートナーキャリアが、無線通信サービスを、顧客の地理的な位置にかかわらずシームレスな方法で顧客へ、送り届けられるようにする。各パートナーキャリアがグローバルプラットフォームプロバイダーと提携合意することによって、一つのパートナーキャリアから購入したモバイルデバイスは、（もしあれば）最小限の性能への影響及びローミング料金をこうむるとはいえ、他のパートナーキャリアによって運営されるエリア（例えば国又は大陸）へ自由に動くことができる。
【００５４】
ここに記載されているように、モバイルデバイスは、携帯電話、電子書籍、無線追跡能力を有する自動車、デジタルピクチャーフレーム、ゲームコンソール、タブレットコンピュータ、ラップトップコンピュータ、又は他のポータブル無線通信デバイスでありうる。さらに、ここに記載されている顧客は、末端の消費者、組織、又はネットワーク接続デバイスのグローバル展開に興味のある会社でありうる。従来の無線システムにおいては、すべてのネットワークキャリアの運用は国によって境界づけられている。したがって、１つの国で購入したデバイス（例えば自動車）は、他の国における恒久的なローミング料金をこうむらずには、当該他の国へ簡単に出荷されることができない。さらに、自動車は当該他の国内でローミングするため、そのデータトラフィックは、本国及び外国行き両方のホームネットワークの信号及びデータ送信を通して送られる。この経路は、無線通信に悪い性能への影響を与える。ここに記載されるグローバルプラットフォームは、性能及びローミング料金の影響を（もしあれば）最小限にするような展開を許す。
【００５５】
図１４Ａは、グローバルプラットフォームプロバイダーが運営する無線ネットワークアーキテクチャの実施形態である。グローバルプラットフォームプロバイダーは、ＩＭＳＩのような複数の識別子セットで割り当てられる。ＩＭＳＩは以下の説明において使用されるが、当然のことながら、他の加入者識別子タイプはＩＭＳＩの代わりに使用されうる。その上、無線ネットワークアーキテクチャは２／３Ｇ  ＧＳＭネットワーク技術との関連で記載されているが、当然のことながら、ＣＤＭＡ２０００、４Ｇ  ＬＴＥ、ＬＴＥアドバンスト等のような他のネットワーク技術が、ここに記載された技術をサポートするのに使用されうる。同様に当然のことながら、本発明の実施形態は、ネットワークプロトコル、技術及び標準が発展するにつれて、これらのネットワークプロトコル、技術及び標準の将来版と連携するように構成されうる。
【００５６】
モバイルデバイス１４１０は、そのＳＩＭ内にプログラムされたＩＭＳＩの１つを有しており、グローバルプラットフォームプロバイダーとパートナーになったネットワークキャリアによって運用される地域において、ローミング料金を避ける又は減らすことができる。モバイルデバイス１４１０は、そのホームネットワークを離れてパートナーキャリアネットワーク（例えばパートナーキャリアネットワーク１４８０又は１４９０）に入った後は、一時的なローミング料金をこうむりうる。しかしながら、１つ以上の所定の割当規則を満足する時点で、モバイルデバイス１４１０は、パートナーキャリアネットワークに対してローカルな新しいＩＭＳＩ又はグローバルプラットフォームプロバイダーによって訪問先の国に優先されるようにあらかじめ決められているＩＭＳＩで、プロビジョニングされうる。この新しいＩＭＳＩで、モバイルデバイスは、ローミング料金をこうむることなく、そのホームネットワークを通って伝送が送られることなく、パートナーネットワークにおいて無線パケットを送受信できる。
【００５７】
モバイルデバイス１４１０がローカルに変わりうるか、又は別の方法で優先されるＩＭＳＩに変わりうるかの決定は、割当規則セットに基づいて制御センター１４２０によってなされうる。制御センターは、グローバルプラットフォームプロバイダーネットワーク１４００に連結され、少なくともプロビジョニングサーバ１４５０及び無線（ＯＴＡ）サーバ１４４０を含む。制御センター１４２０及びグローバルプラットフォームプロバイダーネットワーク１４００は、両方ともグローバルプラットフォームプロバイダーによって運営される。制御センター１４２０及びグローバルプラットフォームプロバイダーネットワーク１４００は、複数の地理的領域に分布した複数のサーバ、複数の記憶デバイス、及び複数のネットワークノードを含みうる。
【００５８】
ある実施形態においては、グローバルプラットフォームプロバイダーネットワーク１４００は、加入者識別情報を管理して記憶する１つ以上のサーバ及びデータベースを含むＨＬＲ１４３０、を含む。加入者識別情報は、ＩＭＳＩ、ＭＳＩＳＤＮ、ローカル情報（例えばモバイルへの呼の経路指定を可能にする現在使えるＶＬＲ(Visitor Location Register)の識別情報）、サービス加入及び制限を含む。ＨＬＲ１４３０は、ネットワーク接続を要求するモバイルデバイスの認証を行う認証センター（ＡｕＣ）１４３１に連結する。
【００５９】
ＨＬＲ１４３０は、グローバルプラットフォームプロバイダーによって運営され、アップデートされる。ＨＬＲ１４３０は、共通線信号Ｎｏ．７（ＳＳ７）メッセージによって信号中継局（ＳＴＰ）（１４７１、１４７２）を通って、又はインターネットプロトコル（ＩＰ）メッセージによってモビリティマネジメントエンティティ（ＭＭＥ）を通って、パートナーキャリアネットワーク（１４８０、１４９０）と通信する。ＳＳ７／ＩＰメッセージは、専用のＳＳ７／ＩＰ接続によって、及び／又はＳＳ７／ＩＰキャリア間ネットワーク１４４１によって、送信されうる。ある実施形態においては、この文書に示されるＨＬＲ１４３０は論理的表現である。物理的に、ＨＬＲ１４３０は、複数の地理的領域に亘って配置されうる。ある実施形態においては、ＨＬＲ１４３０は、複数のパートナーキャリアによって所有される、配置されたＨＬＲのセグメントを含むことができる。したがって、これらの実施形態においては、各ＨＬＲセグメントは異なるパートナーキャリアによって所有された状態で、ＨＬＲ１４３０は複数のＨＬＲセグメントの合計でありうる。例えば、パートナーキャリアはＨＬＲを所有及び運営しうる、そしてグローバルプロットフォームプロバイダーによって、ＨＬＲのセグメントは読み取られ、アップデートされうる。グローバルプラットフォームプロバイダーによって実行されたアップデートは、ＩＭＳＩを加える／プロビジョニングすること及び削除／消去すること、並びに加入者無線サービス許可を設定及び編集すること、を含みうる。グローバルプラットフォームプロバイダーによって加えられ及び削除されうるＩＭＳＩは、グローバルプラットフォームプロバイダーに割り当てられるＩＭＳＩセット内にある。つまり、ＨＬＲ１４３０は、グローバルプラットフォームプロバイダーに割り当てられたＩＭＳＩセットに属するＩＭＳＩを記憶し、管理する。ある実施形態においては、新しいＩＭＳＩが加入者にプロビジョニングされるとき、加入者もまた新しい手形勘定所有者に変えられる。つまり、加入者の無線サービスへの契約上の所有権は、新しいＩＭＳＩのプロビジョニングと共に変わりうる。新しいＩＭＳＩのプロビジョニングの後で、加入者は、元のキャリアに加えて、又は元のキャリアの代わりに、新しいパートナーキャリアから請求書を受領しうる。
【００６０】
図１４Ａの実施形態においては、パートナーキャリアネットワーク（１４８０、１４９０）のそれぞれは、１つ以上のＭＳＣ（１４８５、１４８７）及び１つ以上のＳＧＳＮ（１４１５、１４１７）を含む。ＭＳＣ（１４８５、１４８７）は、回路交換の音声電話、ファックス、データ及びショートメッセージサービス（ＳＭＳ）の経路を定めるのに対して責任をもつ。ＭＳＣ（１４８５、１４８７）は、モバイルデバイスから回路交換ネットワーク（図示せず）まで発信回路交換信号を転送でき、ＳＭＳセンター（ＳＭＳＣ）１４６０まで発信ショートメッセージを転送できる。それから回路交換ネットワーク及びＳＭＳＣ１４６０は、これらの目的とする宛先に信号／メッセージを配信する。加えて、ＭＳＣ（１４８５、１４８７）は、モバイルデバイスがネットワーク接続を要求するときに、ＨＬＲ１４３０／ＡｕＣ１４３１にモバイルデバイスを認証するよう求めるのに対して責任をもつ。
【００６１】
ＳＧＳＮ（１４１５、１４１７）は、データパケットの経路を定めるのを担当する。各ＳＧＳＮ（１４１５、１４１７）は、ＳＧＳＮ（１４１５、１４１７）に供するＧＧＳＮ（例えばＧＧＳＮ１４１６）のＩＰアドレスを決定するドメインネームシステム（ＤＮＳ）クエリにおいて使用されうる、アクセスポイントネーム（ＡＰＮ）によって識別される。ＡＰＮ決定機能は、ＡＰＮ  ＤＮＳ（１４６５、１４６７）のように示される。それからＧＧＳＮ１４１６は、モバイルデバイス１４１０からこれらの宛先までパケット交換ネットワーク（例えばインターネット）を経由して、発信データパケットを配信する。パケット交換ネットワークへのアクセスを認める前に、ＧＧＳＮ１４１６は、認証・許可・課金（ＡＡＡ）管理を与えるラディウス（ＲＡＤＩＵＳ）プロトコルを使用しうる（ＲＡＤＩＵＳ１４１８のように示される）。モバイルデバイス１４１０に行くことになっている着信データパケットのために、ＧＧＳＮ１４１６は、ＤＮＳクエリ（ＡＰＮ  ＤＮＳ１４６６のように示される）においてＳＧＳＮのＡＰＮを使用して、宛先ＳＧＳＮのＩＰアドレスを決定する。ＳＧＳＮ（１４１５、１４１７）とＧＧＳＮ１４１６の間の通信は、ＧＲＸ(GPRS Roaming eXchange)ネットワーク１４４２によって、キャリア間の接続に提供されうる。ある実施形態においては、ＳＧＳＮ（１４１５、１４１７）とこれに関連するＧＧＳＮの間の通信は、キャリア間の接続によって提供されうる。
【００６２】
図１４Ａのある実施形態においては、ＨＬＲ１４３０、ＳＭＳＣ１４６０、ＧＧＳＮｓ１４１６及びＲＡＤＩＵＳ１４１８は、グローバルプラットフォームプロバイダーネットワーク１４００内にある。代わりの実施形態においては、ＨＬＲ１４３０、ＳＭＳＣ１４６０、ＧＧＳＮ１４１６及びＲＡＤＩＵＳ１４１８のうちの一つ以上は、パートナーキャリアネットワーク（１４８０、１４９０）のうちの一つ以上の中に位置し、パートナーキャリアネットワーク（１４８０、１４９０）のうちの一つ以上によって運営される。これらの位置や所有権に関わらず、制御センター１４２０は、グローバルプラットフォームプロバイダーのサービスに直接的に又は間接的に（例えば、パートナーキャリアを通して、又はパートナーキャリア若しくはグローバルプラットフォームプロバイダーと契約を有する顧客組織を通して）加入するモバイル加入者の情報を管理するために、ＨＬＲ１４３０、ＳＭＳＣ１４６０、ＧＧＳＮ１４１６及びＲＡＤＩＵＳ１４１８のそれぞれへのアクセスを有する。
【００６３】
いくつかの実施形態においては、グローバルプラットフォームプロバイダーに割り当てられたＩＭＳＩは、一つ以上の隣接した又は隣接しないＩＭＳＩのセグメントを含むＩＭＳＩセットに属する。ＩＭＳＩは、ＧＳＭシステムにおける各モバイルデバイスに割り当てられた唯一の電話をかけられない（non-dialable）番号である。ＩＭＳＩは、モバイルデバイスのＳＩＭ内に記憶され、加入者識別情報を独自に識別する。一般的にＩＭＳＩは、（１）国を識別するための３桁からなるモバイル国コード（ＭＣＣ）、（２）ネットワークキャリアを識別するための２又は３桁からなるモバイルネットワークコード（ＭＮＣ）、及び（３）９から１０桁からなるモバイル加入者識別情報番号（ＭＳＩＮ）、の３つの部分を含む。
【００６４】
ある実施形態においては、グローバルプラットフォームプラバイダーに割り当てられたＩＭＳＩは、１つ以上の予め指定した値を有する１つ以上の桁を含むＭＳＩＮと同様に、国及びパートナーキャリアネットワークの一つを識別するＭＣＣ及びＭＮＣを有することができる。例として、ＭＣＣ”１２３”及びＭＮＣ”９５６”が国及びその国内で運営されるパートナーキャリアネットワーク”ＰＮ”を識別すると仮定する。さらに、パートナーキャリアネットワーク”ＰＮ”を識別するＩＭＳＩのすべての中で、ＭＳＩＮの一桁目が９（又はその他のあらゆる予め指定した値）であるＩＭＳＩがグローバルプラットフォームプロバイダーに割り当てられることにパートナーキャリアが合意すると、さらに仮定する。したがって、１２３−４５６−９ｘｘｘｘｘｘｘｘのＩＭＳＩは、グローバルプラットフォームプラバイダーに割り当てられたＩＭＳＩの範囲を示す。ここでｘは０から９の任意の値である。ＩＭＳＩのこの範囲は、パートナーキャリアネットワーク”ＰＮ”へローミングし、かつローカルな又は他の好ましいＩＭＳＩに変更される必要のあるモバイル端末に対して、制御センター１４２０によってプロビジョニングされうる。グローバルプラットフォームプラバイダーは複数のパートナーキャリアと契約を結ぶことができるので、グローバルプラットフォームプラバイダーに割り当てられたＩＭＳＩはたくさんのばらばらの領域を含むことができる。
【００６５】
ＭＳＩＮは、ＭＳＩＳＤＮ（携帯電話番号を国際的に識別するための番号）と区別すべきである。ＭＳＩＳＤＮは、発呼側がモバイルデバイスに達するために使用する電話をかけられる番号である。一般的に、ＨＬＲは、モバイル加入者のデバイスを識別し、モバイル加入者への呼び出しの経路を定めるため、ペアとしてＩＭＳＩとＭＳＩＳＤＮを記憶する。ＳＩＭはＩＭＳＩに独自に関連し、一方ＭＳＩＳＤＮは時がたつと（例えば電話番号の可搬性によって）変わりうる。
【００６６】
ネットワークキャリアがモバイルデバイスをその装置供給者から注文するとき、その装置供給者は典型的に、１つ以上のＩＭＳＩと共にモバイルデバイスにおける各ＳＩＭを事前にプログラムする。ある実施形態においては、事前にプログラムされたＳＩＭは、グローバルプラットフォームプラバイダーに割り当てられたＩＭＳＩの一つである、ブートストラップＩＭＳＩを含む。このブートストラップＩＭＳＩもまた、事前にプログラムされたＳＩＭにとってホームである国及びキャリアネットワークを識別する。エンドユーザーが任意のパートナーキャリアチャネルによってモバイルデバイスを購入するとき、サービス担当者は、ブートストラップＩＭＳＩをキーとして使用して、ＭＳＩＳＤＮを含むエンドユーザーの加入情報を入力するサービスオーダーを作る。このキーを伴うサービスオーダーは、ブートストラップＩＭＳＩをキーとして使用する加入レコードを作り、かつＨＬＲ１４３０に加入レコードを追加する、制御センター１４２０に提出される。それからモバイルデバイスは、そのホームネットワーク又はパートナーキャリアネットワーク内でブートストラップＩＭＳＩを使用して無線通信を開始することができる。
【００６７】
図１４Ｂ及び図１４Ｃは、発明の実施形態に従ったＩＭＳＩスイッチングの２つの例示である。図１４Ｂを参照すると、モバイルデバイス１４１０は、そのホームネットワーク（例えばカナダ国内）から訪問先のネットワーク（例えばドイツ国内）にローミングするとき、グローバルプラットフォームプロバイダーによって新しいＩＭＳＩで、プロビジョニングされうる。例えば、カナダ国内のホームネットワークのローカルＩＭＳＩ１４９１は（１１１‐２２２‐ＭＳＩＮ）であって、ドイツ国内の訪問先のネットワークのローカルＩＭＳＩ１４９２は（３３３‐４４４‐ＭＳＩＮ）であって、ＭＳＩＮは任意の９‐１０桁の番号を表す、と仮定する。ある実施形態においては、モバイルデバイス１４１０がカナダからドイツへローミングするとき、モバイルデバイス１４１０は、グローバルプラットフォームプロバイダーに割り当てられたドイツ国内のローカルＩＭＳＩ１４９２の一つである新しいＩＭＳＩで、プロビジョニングされうる。他の実施形態においては、モバイルデバイス１４１０がカナダからドイツへローミングするとき、モバイルデバイス１４１０は、グローバルプラットフォームプロバイダーに割り当てられたスペイン国内のローカルＩＭＳＩ１４９３（例えば５５５‐６６６‐ＭＳＩＮ）の一つである新しいＩＭＳＩで、プロビジョニングされうる。この新しいＩＭＳＩ（ローカルＩＭＳＩ１４９３の一つ）は、ここでは、訪問先のネットワークに”好ましい”ＩＭＳＩと呼ばれる。例えば、グローバルプラットフォームプロバイダーが、ＩＭＳＩ１４９３をグローバルプラットフォームプロバイダーのサービスに加入しているドイツ国内のローミングデバイスに割り当てるスペインのネットワークキャリアと契約を結ぶならば、好ましいＩＭＳＩのプロビジョニングは起こりうる。
【００６８】
図１４Ｂ及び図１４Ｃに示される例示においては、ローミング前後のＩＭＳＩのＭＳＩＮ部分は同じであり（例えば９８７６５４３２１）、ここで先頭の桁”９”はＩＭＳＩがグローバルプラットフォームプロバイダーに割り当てられていることを示している。しかし当然のことながら、グローバルプラットフォームプロバイダーは、そのローミングデバイスに対して９８７６５４３２１とは異なる他の利用可能なＭＳＩＮをプロビジョニングしうる。
【００６９】
図１５は、ＩＭＳＩプロビジョニング及び管理の概観を説明する。始めに、ブートストラップＩＭＳＩ１５１１を伴うモバイルデバイスは、ホームネットワークから展開されたロケーションへ展開される。ホームネットワークは、ブートストラップＩＭＳＩ１５１１のモバイル国コード（ＭＣＣ）及びモバイルネットワークコード（ＭＮＣ）によって識別される。パートナーキャリアの一つによって運営されるネットワーク内にあるか、又はパートナーキャリアのローミングキャリアパートナーの一つによって運営されるネットワーク内にある、展開されたロケーションは、ホームネットワークとは異なるＭＣＣ及び／又はＭＮＣと関連しうる。割当規則１５１０セットに基づいて、制御センター１４２０は、ブートストラップＩＭＳＩ１５１１は、ローカルな新しいＩＭＳＩによって置き換えられるべきか、別の展開されたロケーションに好ましい新しいＩＭＳＩによって置き換えられるべきかを決定する。割当規則１５１０の例示は、モバイル使用量、支払い請求可能のモバイル使用量、ローミングネットワークへの最初のネットワーク登録の試み、モバイルデバイスがローミングしている時間長、加入ステータス（例えば優先順位のレベル）、利用可能なＩＭＳＩの数、展開されたロケーションに対してのネットワークキャリアとの契約等を含むことができる。
【００７０】
割当規則１５１０の具体例は、割当規則が、ＩＭＳＩの中の１つであって、新しいＩＭＳＩ又は第２ＩＭＳＩは、第１ＩＭＳＩ（例えばブートストラップＩＭＳＩ１５１１）の最初のネットワーク登録に基づいて、及び／又は活性化レディ状態若しくは活性化状態において、選択されるという条件をつける、ということを含みうる。第２ＩＭＳＩは、最初のネットワーク登録の国に基づいて、及び／又は活性状態で、選択される。第２ＩＭＳＩは、ＣＤＲと共に第１ＩＭＳＩの最初のネットワーク登録に基づいて選択される。第２ＩＭＳＩは、ＣＤＲと共に第１ＩＭＳＩの最初のネットワーク登録に基づいて、及び／又は活性化状態で、選択される。第２ＩＭＳＩは、最初の支払請求周期における最初の支払請求可能のＣＤＲと共に第１ＩＭＳＩの最初のネットワーク登録に基づいて選択される。第２ＩＭＳＩは、最初の支払請求周期における最後の支払請求可能のＣＤＲと共に第１ＩＭＳＩの最初のネットワーク登録に基づいて選択される。第２ＩＭＳＩは、最初の支払請求周期におけるｘパーセント支払請求可能なボリュームと共に第１ＩＭＳＩの最初のネットワーク登録に基づいて選択される。
【００７１】
もしＩＭＳＩの置き換えがなされたら、制御センター１４２０は、ＯＴＡ１４４０に新しいＩＭＳＩをモバイルデバイスへ送らせることによって、及びＨＬＲ１４３０へ新しいＩＭＳＩを加え／プロビジョニングし、ＨＬＲ１４３０からブートストラップＩＭＳＩを削除／消去することによって、ＩＭＳＩスイッチングを引き起こす。
【００７２】
新しいＩＭＳＩを伴って、モバイルデバイスは、そのホームネットワーク内で動作しているかのように、又は別の好ましいローミングネットワークとして、展開されたロケーションにおいて無線で通信することができる。発着信のモバイル伝送は、ホームネットワークへ経路を変更されることなく、ローカルパートナーキャリアネットワークによって管理されうる。ある実施形態においては、制御センター１４２０はネットワーク使用を監視し、課金情報を収集することができる。課金情報は、清算書の送り状（インボイス）を作り出す、ローカルパートナーキャリア又は好ましいいホームネットワークパートナーへ転送されうる。送り状は、エンドユーザー、又は顧客組織１５５０に送付される。この顧客組織を通して、エンドユーザーはモバイル通信サービスに加入する。代わりの実施形態においては、制御センター１４２０は収集された課金情報に基づいて送り状を作り出すことができる。
【００７３】
図１６から図２０を参照した次の説明においては、ＩＭＳＩスイッチングのプロセスを説明するたくさんの例示が説明される。説明を曖昧にするのを避けるために、信号線やネットワーク要素のいくつかは、図１６‐２０から省略される。図１６‐２０において示されるネットワーク要素のいくつかは、図１４Ａに戻って参照する。しかし当然のことながら、図１６‐２０において説明されるプロセスは、図１４Ａの実施形態と異なるネットワークアーキテクチャによって実行されうる。さらに、議論を簡単にするため、次の例示は、２／３Ｇ  ＧＳＭパケットベースルーティングのみ説明する。当然のことながら、メッセージング、音声電話、ファックスのような他の種類の無線データ、及び他の種類の無線通信もまた、４Ｇ  ＬＴＥやＬＴＥアドバンストのような他の無線技術と同様にサポートされうる。次の説明においては、括弧でくくられた番号は動作と関連し、括弧でくくられていない番号は構成要素やデータアイテム（例えばＩＭＳＩ）と関連する。
【００７４】
図１６は、ブートストラップＩＭＳＩ（例えばブートストラップＩＭＳＩ１５１１）を有するモバイルデバイスの最初のネットワーク登録のプロセスの実施形態を説明する。最初に、モバイルデバイスは、ブートストラップＩＭＳＩと共にプログラムされたＳＩＭが取り付けられる。ブートストラップＩＭＳＩ１５１１は、グローバルプラットフォームプロバイダーによって運営される、又はさもなければアクセス可能な、ＨＬＲ１４３０における加入レコードに対するキーである。上述したように、ブートストラップＩＭＳＩ１５１１は、装置供給者によってモバイルデバイスへ割り当てられうる、そしてグローバルプラットフォームプロバイダーに割り当てられたＩＭＳＩの範囲内にある。サービスオーダーを受信するとすぐに、プロビジョニングサーバ１４５０は、キーとしてブートストラップＩＭＳＩ１５１１を使用する加入レコードにおける他の加入情報と同様にブートストラップＩＭＳＩ１５１１をＨＬＲ１４３０へ加える（１６０１）。それからＨＬＲ１４３０は、活性化状態としてのＩＭＳＩを示す。モバイルデバイスが無線ネットワーク接続の要求を送信するとき、その要求は、ホームネットワークキャリア（例えば、ホームネットワークキャリアとしてブートストラップＩＭＳＩによって識別されたキャリア）によって運営される最寄りの基地局（ＢＳ）タワー１６１２に最初に送信される（１６０２）か、又は訪問先のネットワークに最初に送信される。ＢＳタワー１６１２は、モバイルデバイスのためのＨＬＲ１４３０／ＡｕＣ１４３１へ認証要求を送信する（１６０３）最寄りのＭＳＣ１６８１に、その要求を転送する。それからＨＬＲ１４３０／ＡｕＣ１４３１は、ブートストラップＩＭＳＩ１５１１を認証する。認証するとすぐに、ＢＳ１６１２は、モバイルデバイスから、データパケットをＧＧＳＮ１４１６まで転送し（１６０４）、提供しているネットワークキャリアによって運営されるＳＧＳＮ１６１５まで、データパケットを送る。外部ネットワーク（例えばインターネット１６６０）へのアクセスが認められる前に、ＧＧＳＮ１４１６は、ＲＡＤＩＵＳ１４１８に許可及び認証を要求する（１６０５）。許可及び認証を受領するとすぐに、ＧＧＳＮ１４１６は、データパケットをインターネット１６６０に送る（１６０６）。それからグローバルプラットフォームプロバイダーは、ＧＧＳＮ１４１６又はＲＡＤＩＵＳ１４１８からネットワーク使用情報（例えば通話詳細記録（ＣＤＲ））を収集し、使用及びレーティングデータベース１６２１に記憶する。
【００７５】
図１７は、ＩＭＳＩスイッチングを実行するプロセスを説明する。この場合は、ブートストラップＩＭＳＩ１５１１を伴うモバイルデバイスは、ブートストラップＩＭＳＩ１５１１にとっては在外である（例えばＳＩＭがローミングしている）国／ネットワークに展開される（１７０１）。ある実施形態においては、第１キャリアは、図１４Ａのパートナーキャリアネットワーク１４８０を運営するパートナーキャリアでありうる。この時点では、ブートストラップＩＭＳＩ５１１は、ＨＬＲ１４３０において活発にプロビジョニングされたままである。モバイルデバイスは、ＭＳＣ１４８５及びＭＳＣ１４８５に関連したＶＬＲ１７７０に要求を転送する（１７０３）、最寄りのＢＳタワー１７１２に登録要求を送信する（１７０２）。ＭＳＣ１４８５及びＶＬＲ１７７０は両方とも第１キャリアによって運営される。ＶＬＲ１７７０は、モバイルデバイスはそのホームネットワークから離れてローミングすることをＨＬＲ１４３０に通知し、ＨＬＲ１４３０からモバイルデバイスの加入情報を取得する（１７０４）。それからモバイルデバイスは、ローミングによって新しく展開されたロケーションにおいて登録する。
【００７６】
ＶＬＲ１７７０からの通知は、プロビジョニングサーバ１４５０に、モバイルデバイスがローカルＩＭＳＩにスイッチされるべきか、別の好ましい新しいＩＭＳＩ（例えば第１キャリアネットワークに対してローカルな第１ＩＭＳＩ１７１１）にスイッチされるべきかどうかを決定する割当規則１５１０を、チェックさせる（１７０５）。このローカルＩＭＳＩ１７１１もまた、グローバルプラットフォームプロバイダーに割り当てられたＩＭＳＩの範囲内にある。展開されたロケーション内にある第１ＩＭＳＩ１７１１を使用することによって、モバイルデバイスは、ローミングデバイスとして扱われることなく無線で通信することができる。そのうえ、第１ＩＭＳＩ１７１１はグローバルプラットフォームプロバイダーに割り当てられるので、グローバルプラットフォームプロバイダーは、さらなるＩＭＳＩスイッチングを実行する必要があるかを決定すべきモバイルデバイスの信号又は使用を監視することができる。
【００７７】
もしプロビジョニングサーバ１４５０が、ＩＭＳＩスイッチングが割当規則１５１０に基づいて実行されるべきことを決定するならば、プロビジョニングサーバ１４５０は、ＯＴＡサーバ１４４０に第１ＩＭＳＩ１７１１をモバイルデバイスへ送信するよう指示する（１７０６）。第１ＩＭＳＩ１７１１は、暗号化された伝送（例えば暗号化されたＳＭＳ）によって送信されうる（１７０７）。第１ＩＭＳＩ１７１１を受信するとすぐに、モバイルデバイスはＳＩＭ内のプロファイルを変更し、ＯＴＡサーバ１４４０へ受領を返す。プロビジョニングサーバ１４５０もまた、第１ＩＭＳＩ１７１１をモバイルデバイスの加入レコードに追加／プロビジョニング及び活性化することによって、ＨＬＲ１４３０をアップデートする。モバイルデバイスが、ＨＬＲ１４３０によって新しいＩＭＳＩ１７１１と共に第１キャリアネットワークに再登録されるとき、ＨＬＲ１４３０は、モバイルデバイスが新しいＩＭＳＩ１７１１と共に成功裡に登録されたプロビジョニングサーバ１４５０へ、メッセージを送信する。この時点において、プロビジョニングサーバ１４５０は、ＨＬＲ１４３０からブートストラップＩＭＳＩ１５１１を削除する（１７０８）。
【００７８】
図１８は、図１７において説明されるＩＭＳＩスイッチング後にモバイルデバイスを運営するプロセスの実施形態を説明する。図１７において説明されるように、ＨＬＲ１４３０は、プロビジョニングサーバ１４５０による指示通りに、第１ＩＭＳＩ１７１１を追加して活性化し、ブートストラップＩＭＳＩ１５１１を削除する（１８０１）。モバイルデバイスがネットワーク接続要求を最寄りのＢＳタワー１７１２に送信するとき（１８０２）、ＢＳタワー１７１２は第１キャリアによって運営されるＭＳＣ１４８５にその要求を転送する。ＭＳＣ１４８５は、その要求が、第１キャリアネットワークに対してローカルなＩＭＳＩである第１ＩＭＳＩ１７１１と関連していることを認識する。それからＭＳＣ１４８５は、ＨＬＲ１４３０へ認証要求を送信する（１８０３）。それに応じて、ＨＬＲ１４３０は第１ＩＭＳＩ１７１１を認証する。認証するとすぐに、ＢＳタワー１７１２は、モバイルデバイスから、ＳＧＳＮ１４１５と関連しているＧＧＳＮ１８１６へデータパケットを転送する、第１キャリアによって運営されるＳＧＳＮ１４１５まで、データパケットを送る。外部ネットワーク（例えばインターネット１６６０）へのアクセスが認められる前に、ＧＧＳＮ１８１６は、ＲＡＤＩＵＳ１４１８に許可及び認証を要求する（１８０４）。許可及び認証を受領するとすぐに、ＧＧＳＮ１８１６は、モバイルデバイスからインターネット１６６０まで、データパケットを送る（１８０５）。この例示においては、ＧＧＳＮ１８１６は第１キャリアによって運営されるので、グローバルプラットフォームプロバイダーによって運営される使用及びレーティングデータベース１６２１へＣＤＲ及び課金処理を提供するのは、第１キャリアである（１８０６）。他の実施形態においては、ＲＡＤＩＵＳサーバ１４１８が、使用及びレーティングデータベース１６２１へＣＤＲ及び課金処理を提供しうる。
【００７９】
図１９は、図１７において説明されるＩＭＳＩスイッチング後にローミングデバイスとしてのモバイルデバイスを運営するプロセスの実施形態を説明する。モバイルデバイスが第１ＩＭＳＩ１７１１に成功裡にスイッチされ、ローカルモバイルデバイスとして第１キャリアネットワークにおいて動作する後に、モバイルデバイスは、第２キャリアによってサービスが提供される他のロケーションにローミングする（１９０１）。ある実施形態においては、第２キャリアは、図１４Ａのパートナーキャリアネットワーク１４９０を運営するパートナーキャリアでありうる。この時点において、第１ＩＭＳＩ１７１１は、ＨＬＲ１４３０内にある。モバイルデバイスは、ＭＳＣ１４８７及びＭＳＣ１４８７と関連しているＶＬＲ１９７０へ要求を転送する最寄りのＢＳタワー１９１２に、登録要求を送信する（１９０２）。ＭＳＣ１４８７及びＶＬＲ１９７０は両方とも第２キャリアによって運営される。ＶＬＲ１８７０は、モバイルデバイスが第２キャリアネットワークに入り、モバイルデバイスの認証を要求したことを、第１キャリアネットワークのＨＬＲ１９３０へ通知する（１９０３）。ＨＬＲ１９３０は、グローバルプラットフォームプロバイダーネットワーク１４００のＨＬＲ１４３０に認証要求を転送し、ＨＬＲ１４３０はモバイルデバイスを認証する（１９０４）。それからモバイルデバイスは、ローミングによって新しいロケーションにおいて登録し、活性化する。ある実施形態においては、ＶＬＲ１９７０は、グローバルプラットフォームのＨＬＲ１４３０へ認証要求を直接送信する。
【００８０】
認証するとすぐに、ＢＳタワー１９１２は、モバイルデバイスから、第２キャリアによって運営されるＳＧＳＮ１４１７まで、データパケットを送る。ＳＧＳＮ１４１７は、第１キャリアによって運営されるＧＧＳＮ１８１６にデータパケットを転送する。外部ネットワーク（例えばインターネット１６６０）へのアクセスが認められる前に、ＧＧＳＮ１８１６はＲＡＤＩＵＳ１４１８に許可及び認証を要求する（１９０６）。許可及び認証を受領するとすぐに、ＧＧＳＮ１８１６はデータパケットをインターネット１６６０へ送る（１９０７）。このような例示において、ＧＧＳＮ１８１６は第１キャリアによって運営されるので、グローバルプラットフォームプロバイダーによって運営される使用及びレーティングデータベース１６２１へＣＤＲ及び課金処理を提供するのは、第１キャリアである（１９０８）。他の実施形態においては、ＲＡＤＩＵＳサーバ１４１８が、使用及びレーティングデータベース１６２１へＣＤＲ及び課金処理を提供しうる。
【００８１】
図２０は、他のＩＭＳＩスイッチングを実行するプロセスの実施形態を説明する。図２０のプロセス２００１‐２００４は図１９の１９０１‐１９０４と似ているため、繰り返し言及しない。第１キャリアのＨＬＲ１９３０からの認証要求に応答して、プロビジョニングサーバ１４５０は、モバイルデバイスがローカルＩＭＳＩ（つまり、第２キャリアネットワークに対してローカルである第２ＩＭＳＩ２０１１）にスイッチされるべきかを決定する割当規則１５１０をチェックする（２００５）。さらに、第２ＩＭＳＩ２０１１は、グローバルプラットフォームプロバイダーに割り当てられたＩＭＳＩの範囲内にある。展開されたロケーションにおいて第２ＩＭＳＩ２０１１を使用することで、モバイルデバイスは、ローミングデバイスとして扱われることなく無線で通信することができる。そのうえ、第２ＩＭＳＩ２０１１はグローバルプラットフォームプロバイダーに割り当てられるので、グローバルプラットフォームプロバイダーは、さらなるＩＭＳＩスイッチングを実行する必要があるかを決定するモバイルデバイスの使用を監視することができる。
【００８２】
もしプロビジョニングサーバ１４５０が、ＩＭＳＩスイッチングが割当規則１５１０に基づいて実行されるべきことを決定するならば、プロビジョニングサーバ１４５０は、ＯＴＡサーバ１４４０に、第２ＩＭＳＩ１９１１をモバイルデバイスへ送信するように指示する（２００６）。第２ＩＭＳＩ２０１１は、暗号化された伝送（例えば暗号化されたＳＭＳ）によって送信されうる（２００７）。第２ＩＭＳＩ２０１１を受信するとすぐに、モバイルデバイスはそのＳＩＭ内のプロファイルを変更し、ＯＴＡサーバ１４４０へ受領を返す。プロビジョニングサーバ１４５０もまた、第２ＩＭＳＩ２０１１をモバイルデバイスの加入レコードに追加／プロビジョニング及び活性化することによって、並びにＨＬＲ１４３０から第１ＩＭＳＩ１７１１を削除／消去することによって、ＨＬＲ１４３０をアップデートする（２００８）。
【００８３】
ここで説明されるように、プロビジョニングサーバ１４５０、ＯＴＡサーバ１４４０、ＨＬＲ１４３０及び図１４‐２０において示される他のネットワーク要素によって実行されるプロセスは、ある演算を実行するように構成され、若しくは所定の機能性を有する特定用途向け集積回路（ＡＳＩＣ）、又は一時的でないコンピュータ読み取り可能な記憶媒体に統合されたメモリ内に格納されたソフトウェア命令を実行する電子デバイス、のようなハードウェアの特定の構成によって、実施されうる。一時的でないコンピュータ読み取り可能な記憶媒体の例としては、磁気ディスク、光ディスク、ランダムアクセスメモリ、読み出し専用メモリ、フラッシュメモリデバイス、相変化メモリ等が含まれる。さらに、そのような電子デバイスは典型的に、１つ以上の記憶デバイス（一時的でない機械読み取り可能な記憶媒体）、ユーザー入出力デバイス（例えばキーボード、タッチスクリーン及び／又はディスプレイ）及びネットワーク接続のような、１つ以上の他の構成要素と結合する１つ以上のプロセッサ一式を含む。プロセッサ一式及び他の構成要素の結合は、典型的に１つ以上のバス及びブリッジ（バスコントローラとも呼ばれる）を通している。このようにして、既定の電子デバイスの記憶デバイスは典型的に、電子デバイスの１つ以上のプロセッサ一式で実行するコード及び／又はデータを格納する。本発明の実施形態の一つ以上の部分は、ソフトウェア、ファームウェア、及び／又はハードウェアの異なる組み合わせを使用して実施されうる。
【００８４】
前述の実施形態は理解を明瞭にする目的で多少詳しく説明されてきたが、本発明は与えられた詳細に限定されない。本発明の実施については、多くの代替方法がある。開示された実施形態は説明的なものであって、制限的なものではない。
【符号の説明】
【００８５】
１００  無線端末
１０２  無線信号
１０４  無線ネットワーク基地局
１０６  無線ネットワークセンター
１０８  ホームロケーションレジスタ／認証センター（ＨＬＲ／ＡｕＣ）
１１０  プロビジョニングサーバ
７００  デバイス
７０２  モバイルデータサービス（ＭＤＳ）
７０４  識別子（ＩＤ）
７０６  キャリアタワー
７０８  キャリアデータトラフィックハンドラー
７１０  キャリアスイッチングネットワーク（ＳＧＳＮ）
７１２  キャリアネットワーク
７１４  ネットワーク
７１６  顧客システム
７１８  顧客アプリケーションサーバ
７２０  顧客管理者
７２４  プロバイダーシステム
７２６  アプリケーションサーバ
７２８  ＨＬＲ
７３０  ＡＡＡサーバ
７３２  データベース
７３４  管理者
１１００  テストレディ状態
１１０２  在庫管理状態
１１０４  活性化状態
１１０６  非活性化状態
１１０８  消去された状態
１２００  テストレディ状態
１２０２  活性化レディ状態
１２０４  活性化状態
１２０６  非活性化状態
１２０８  消去された状態
１４００  グローバルプラットフォームプロバイダーネットワーク
１４１０  モバイルデバイス
１４１５、１４１７  ＳＧＳＮ
１４１６  ＧＧＳＮ
１４１８  ＲＡＤＩＵＳ
１４２０  制御センター
１４３０  ＨＬＲ
１４３１  ＡｕＣ
１４４０  無線（ＯＴＡ）サーバ
１４４１  専用のＳＳ７接続
１４４２  ＧＲＸネットワーク
１４５０  プロビジョニングサーバ
１４６０  ＳＭＳＣ
１４６５、１４６７  ＡＰＮ  ＤＮＳ
１４７１、１４７２  ＳＴＰ
１４８０、１４９０  パートナーキャリアネットワーク
１４８５、１４８７  ＭＳＣ
１５１０  割当規則
１５１１  ブートストラップＩＭＳＩ
１５５０  顧客組織
１６１２  ＢＳタワー
１６１５  ＳＧＳＮ
１６２１  使用及びレーティングデータベース
１６６０  インターネット
１６８１  ＭＳＣ
１７１１  第１ＩＭＳＩ
１７１２  ＢＳタワー
１７７０  ＶＬＲ
１９１２  ＢＳタワー
１９３０  ＨＬＲ
１９７０  ＶＬＲ
２０１１  第２ＩＭＳＩ
【図１】
2015505190.tif 000003
【図２Ａ】
2015505190.tif 000004
【図２Ｂ】
2015505190.tif 000005
【図３】
2015505190.tif 000006
【図４Ａ】
2015505190.tif 000007
【図４Ｂ】
2015505190.tif 000008
【図５】
2015505190.tif 000009
【図６】
2015505190.tif 000010
【図７】
2015505190.tif 000011
【図８】
2015505190.tif 000012
【図９】
2015505190.tif 000013
【図１０】
2015505190.tif 000014
【図１１】
2015505190.tif 000015
【図１２】
2015505190.tif 000016
【図１３】
2015505190.tif 000017
【図１４Ａ】
2015505190.tif 000018
【図１４Ｂ】
2015505190.tif 000019
【図１４Ｃ】
2015505190.tif 000020
【図１５】
2015505190.tif 000021
【図１６】
2015505190.tif 000022
【図１７】
2015505190.tif 000023
【図１８】
2015505190.tif 000024
【図１９】
2015505190.tif 000025
【図２０】
2015505190.tif 000026
【国際調査報告】
2015505190.tif 000027
2015505190.tif 000028